(57)【要約】  本発明は、洗濯物の香りのカスタマイズ、および洗濯物の香りをカスタマイズする製品、組成物類、前記製品を入れる包装、洗濯物の香りをカスタマイズするためのアセンブリおよび製品、洗濯物の香りのカスタマイズを提供するための部品のキット、並びに洗濯物の香りをカスタマイズする方法に関する。【特許請求の範囲】
【請求項１】
ａ）ニュートラルな香りのベース組成物を選択する工程；
ｂ）香料組成物を選択する工程；
ｃ）前記香料組成物をニュートラルな香りのベース組成物に投与および分配することによって、単位用量のカスタマイズされたランドリー製品を形成する工程；
ｄ）工程ｃ）で形成された前記単位用量のカスタマイズされたランドリー製品を洗濯洗浄液に分配する工程を含む、洗濯作業方法。
【請求項２】
前記単位用量が、洗濯作業に望まれる、カスタマイズされたランドリー製品の量に実質的に相当する、請求項１に記載の方法。
【請求項３】
前記香料組成物の前記投与および分配が、点滴器類、スプレー類、ボウル類、カップ類、キャップ類、ノズル、出口、ディスク類、洗濯機ディスペンサー類、分配装置類、またはこれらの組み合わせから成る群より選択される手段を用いることによって実行される、請求項１または２に記載の方法。
【請求項４】
前記手段が、所定量の前記香料組成物を供給するように較正される、請求項３に記載の方法。
【請求項５】
前記手段が、単位用量の前記香料組成物を有するビーズ類、袋類、亜麻類、およびディスクを含む、請求項３または４に記載の方法。
【請求項６】
前記ニュートラルな香りのベース組成物と前記香料組成物を投与および／または分配するための前記手段が、類似した形または全く同じ形であり、前記手段が、箱類、ボトル類、パウチ類、エンベロープ類、缶類、管類、アトマイザ類、噴霧器類、ビーズ類、フレーク類、袋類、およびこれらの混合物から成る群より選択される、請求項３〜５のいずれか一項に記載の方法。
【請求項７】
前記香料組成物が、前記洗濯機ディスペンサー類を介しておよび／または分配装置類を介して分配される、請求項１〜６のいずれか一項に記載の方法。
【請求項８】
前記ニュートラルな香りのベース組成物が、ニュートラルな香りのベース洗剤組成物および／またはニュートラルな香りの布地コンディショニング組成物から選択される、請求項１〜７のいずれか一項に記載の方法。
【請求項９】
前記香料組成物が、前記洗濯洗浄液に加える前に前記ニュートラルな香りの組成物と混合される、請求項１〜８のいずれか一項に記載の方法。
【請求項１０】
前記香料組成物が、前記香料組成物と前記ベース組成物との重量比が１：５〜１：１００まで、好ましくは１：１０〜１：７５までの範囲であるような量で前記ベース組成物と混合される、請求項９に記載の方法。
【請求項１１】
前記ニュートラルな香りのベース組成物および前記香料組成物が液体であり、前記ニュートラルな香りのベース組成物がボトルに入っており、並びに前記香料組成物を投与および分配するための前記手段が、前記香料組成物を前記ニュートラルな香りのベース組成物に分配するために前記ボトルの上部に取り付ける一連の香料点滴器および分配装置を含む、請求項３〜１０のいずれか一項に記載の方法。
【請求項１２】
前記ニュートラルな香りのベース組成物および前記香料組成物が液体であり、前記ニュートラルな香りのベース組成物がボトルに入っており、そして前記香料組成物を投与および分配するための前記手段が、一連の香料ディスクとして提供され、前記ボトルが、前記香料ディスクと接続するために前記ボトルの上部に一体成形された投与室を更に含む、請求項３〜１０のいずれか一項に記載の方法。
【請求項１３】
前記ニュートラルな香りのベース組成物がビーズの中に入っており、そして前記香料組成物を投与および分配するための前記手段が一連のビーズとして提供される、請求項３〜１０のいずれか一項に記載の方法。
【請求項１４】
前記ニュートラルな香りのベース組成物が、ＣｌｏｇＰが２．５未満の構成成分の少なくとも５０％を有する非残留香料を０．０１％〜１０％まで含み、ここでＣｌｏｇＰは、底１０に対する対数（ｌｏｇＰ）として表される、オクタノール／水分配係数（Ｐ）の計算値であり、前記香料組成物が、ＣｌｏｇＰが２．７超の構成成分の少なくとも５０％を有する香料を０．０１％〜１０％まで含み、ここでＣｌｏｇＰは、底１０に対する対数（ｌｏｇＰ）として表されるオクタノール／水分配係数（Ｐ）の計算値である、請求項１〜１３のいずれか一項に記載の方法。
【請求項１５】
前記香料組成物が、香料であるか、またはＣｌｏｇＰが２．７以上、好ましくは２．９以上、より好ましくは３．０以上の香料成分を、前記香料組成物の少なくとも２５重量％、より好ましくは少なくとも５０重量％、そして更に好ましくは少なくとも７５重量％含む香料成分の混合物である、請求項１４に記載の方法。
【請求項１６】
前記ニュートラルな香りのベース組成物および前記香料組成物が液状であり、前記液体の香りの付いたベース組成物の粘度が前記香料組成物の粘度よりも高い、請求項１〜１５のいずれか一項に記載の方法。
【請求項１７】
前記ニュートラルな香りのベース組成物および前記香料組成物が液状であり、前記ベース組成物が酵素を含み、また前記香料組成物が、テルペン類、ケトン類、アルデヒド類、およびこれらの混合物などの酵素反応性香料を含む、請求項１〜１６のいずれか一項に記載の方法。
【請求項１８】
ａ）ニュートラルな香りのベース組成物からの選択物；
ｂ）香料組成物の分類からの選択物；
ｃ）消費者が前記香料組成物を選択し、前記香料組成物を前記ニュートラルな香りのベース組成物に投与および分配することによって、洗濯作業で使用するための単位用量のカスタマイズされたランドリー製品を形成するための手段
を含む、香りがカスタマイズされた単位用量のランドリー製品を提供するキット。
【請求項１９】
前記手段が、点滴器類、スプレー類、ボウル類、カップ類、キャップ類、ノズル、出口、ディスク類、洗濯機ディスペンサー類、分配装置類、またはこれらの組み合わせを含む、請求項１８に記載のキット。
【請求項２０】
前記手段が、所定量の前記香料組成物を供給するように較正される、請求項１９に記載のキット。
【請求項２１】
前記手段が、一回用量の前記香料組成物を有するビーズ類、袋類、亜麻類を含む、請求項１８に記載のキット。
【請求項２２】
前記ニュートラルな香りのベース組成物および前記香料組成物を投与および／または分配するための手段が、類似した形または全く同じ形であり、前記手段が、箱類、ボトル類、パウチ類、エンベロープ類、缶類、管類、アトマイザ類、噴霧器類、ビーズ類、フレーク類、袋類、およびこれらの混合物から成る群より選択される、請求項１８〜２１のいずれか一項に記載のキット。
【請求項２３】
洗濯洗浄液に加える前に前記香料組成物を前記ニュートラルな香りのベース組成物に分配するための説明書を更に含む、請求項１８〜２２のいずれか一項に記載のキット。
【請求項２４】
前記ニュートラルな香りのベース組成物および前記香料組成物が液体であり、前記ニュートラルな香りのベース組成物がボトルに入っており、そして前記香料組成物を選択、投与および分配するための前記手段が、一連の香料点滴器類として提供され、前記キットが、前記香料組成物を前記ニュートラルな香りのベース組成物に分配するために前記ボトルの上部に取り付ける分配装置を更に含む、請求項１８に記載のキット。
【請求項２５】
前記ニュートラルな香りのベース組成物および前記香料組成物が液体であり、前記ニュートラルな香りのベース組成物がボトルに入っており、そして前記香料組成物を選択、投与および分配するための前記手段が、一連の香料ディスクとして提供され、前記ボトルが、前記香料ディスクと接続するために前記ボトルの上部に一体成形された投与室を更に具備する、請求項１８に記載のキット。
【請求項２６】
前記ニュートラルな香りのベース組成物がビーズの中に入っており、そして前記香料組成物を選択、投与および分配するための前記手段が一連のビーズとして提供される、請求項１８に記載のキット。
【請求項２７】
複数の香料組成物類を含むアセンブリであって、前記アセンブリが、前記香料組成物類のうち１つ以上を選択し、および／またはそれをニュートラルな香りのベース組成物に投与および／または分配することによって、洗濯作業で使用するための単位用量のカスタマイズされたランドリー製品を形成する仕方を消費者に指示する手段を更に含む、アセンブリ。
【請求項２８】
前記ニュートラルな香りのベース組成物が、ニュートラルな香りのベース洗剤組成物および／またはニュートラルな香りの布地コンディショニング組成物から選択される、請求項２７に記載のアセンブリ。
【請求項２９】
前記香料組成物類が、０．２〜１ｍＬの香料を洗濯機ディスペンサーに２〜５Ｌ／分の水圧で３分以内に放出する、請求項２７または２８に記載のアセンブリ。
【請求項３０】
香料組成物を含む製品であって、前記製品が、消費者が前記香料組成物を選択し、前記香料組成物をニュートラルな香りのベース組成物に投与および分配することによって、洗濯作業で使用するための単位用量のカスタマイズされたランドリー製品を形成する手段を更に含む、製品。
【請求項３１】
前記手段が、単位用量の香料を有するビーズ類、袋、亜麻類、およびディスク類を含む、請求項３０に記載の製品。
【発明の詳細な説明】
【技術分野】
【０００１】
本発明は、洗濯物の香りのカスタマイズ、および洗濯物の香りがカスタマイズされる製品、組成物、前記製品を収容する包装、洗濯物の香りがカスタマイズされたアセンブリおよび製品、洗濯物の香りのカスタマイズを提供するための部品のキット、並びに洗濯物の香りをカスタマイズする方法に関する。
【背景技術】
【０００２】
洗濯作業において様々な機能をもたらす様々な成分を含有するランドリー製品類が知られている。重要な成分の一つは香料である。
【０００３】
「芳香を発する」機能は、最初は存在しないが、先ずそのベース臭気を覆い隠すため、その後、洗浄中および洗浄後に心地よい香りを更に供給するために、徐々に発達した。従って、「香り」特性は、洗浄特性に加えて、消費者には益々重要になってきた。この傾向の当然の結果は、多数の香料種が市場に供給されて消費者選択を満足させていることである。
【０００４】
消費者の製品に匂いを付与するのに現在用いられている主な手法は、芳香剤をランドリー製品に直接混入することである。しかし、この手法にはいくつかの欠点がある。
【０００５】
例えば、芳香剤物質は非常に揮発性が高く、その結果、洗剤に混入すると、製造中、保管中、および使用中に芳香を失うる可能性がある。これは、特に、香料が保護されない液体洗剤での場合である。多くの芳香剤物質はまた、経時的に不安定でもある。これによって保管中に芳香を更に失う。
【０００６】
香料類は、製品の心地よい匂いをもたらすように具体的に設計される必要があり、また洗浄プロセス後に洗浄する洗濯物（wash load）へ十分な香料物質を供給する必要がある。
【０００７】
ランドリー製品の香りを変更または増強する、あるいは心地よい香りをそれに付与する香料物質類は、当該技術分野では周知である。米国特許第４，１３１，５５５号および米国特許第４，２２８，０２６号は、心地よい香りまたは芳香を液体および顆粒洗剤組成物に付与することを意図した物質について記載している特許の代表例である。記載された調製方法は、固体形態の香料物質を、調製した洗剤組成物と混合して、均質な組成物を形成することから成る。液状の香料類は、従来、その構成成分として液体洗剤組成物類に添加されるか、または顆粒洗剤組成物の表面に噴霧される。洗剤に添加して心地よい匂いを製品にもたらす香料もまた、洗浄プロセスで衣類に供給されるべきでもある。しかしながら、これら香料類は、洗濯中に洗剤組成物の水溶性構成成分と併せて洗浄水溶液中で迅速に分散して希釈される。洗濯される布地と接触してそれに付着するために比較的少量の香料しか使用できず、大部分の香料は洗浄サイクル中に洗浄溶液と共に洗濯機から排出される。それは、洗浄作業後にいくらかの香料がまだ布地と接触している程度まで、例えば、洗浄された布地を比較的高温で混転するガスまたは電気乾燥機内での乾燥中にその後、消散する傾向がある。洗剤に対する香料の濃度および種類を増やして、洗浄時の衣類への香料の付着を最大限にする一方で、このことは費用および原製品に対する香料の影響によって制限される。結果として、従来の洗剤組成物類で洗濯された布地は、一般に、原製品において良い匂いをもたらすように処方された場合、極めてかすかな香料の芳香のみを留める。
【０００８】
既に香料を含有するランドリー製品類が消費者に供給された場合の別の主な欠点は、前記ランドリー製品類が同じ処方の欠点に悩まされること、すなわち、それら組成物が固定されることである。特定の香料の香りは、一消費者には魅力がないが、別の消費者には非常に魅力的な香りである場合がある。ランドリー製品に含有される香料の量がまた、香りの強度に関する特定の消費者の好みに合わない場合もある。
【０００９】
これら欠点に対する部分的な解決策は、例えばＰＣＴ国際公開特許ＷＯ−Ａ１−２００５／０４２６８８に提供されており、これには、無香性クレンザーと発泡性錠剤の形態の芳香剤物質とを含むキットが開示されている。
【００１０】
従って、ランドリー製品と複数の様々な香料組成物類を別個に供給することによって、依然として満たされない消費者需要が満たされる。さらに一般的には、ランドリー製品の他の機能から香り付けを分離することで、消費者が香料の香りや使用する香料の量を決定することができる。配合者は、心地よい量および種類の香料をランドリー製品または柔軟仕上げ剤製品に組み込むことができると同時に、希釈洗浄プロセスにおいて衣類への香料の付着を最大限にするように調整された別々の香料を供給することができる。加えて、特定の消費者は、特定の香料を好む場合がある。消費者は、洗濯される布地の種類またはこれら布地を着る環境に応じて、異なる香料の好みを有する可能性もある。具体的には、消費者らは、リネン製品類に対してはある芳香を望み、社交の場および特別なイベントで着る布地に対しては別個の芳香を望み、下着、作業着、運動にふさわしい服装などに対しては追加の芳香を望むと予想される。更に、特定のキットは異なる種類の様々な香料類を含有することが好ましいが、このキットは、香料の複数回投与または複数の香料物品類を具備して、洗濯プロセス全体に亙って異なる使用条件でこの香料を繰り返して使用できることも同様に好ましい。
【００１１】
純粋な香料を無香性組成物への添加物として使用する明白な方法は、消費者が特に苦労せずに通常のランドリー製品中で香料を界面活性剤類または溶媒類と乳化することができないため、実現不可能であることが、ランドリー製品類を処方する当業者には自明であろう。洗浄またはリンス時に純粋な香料を直接使用することもまた、芳香剤のほとんどが、洗い流すことによって失われるか、蒸発するか、または洗浄装具材料によって吸収されるため、経済的ではない。所要の微量香料の測定は、それを純粋な香料として供給された場合、消費者に不快な複雑さを与えるであろう。
【００１２】
加えて、アミドまたはエステルアミン／四級アンモニウムエステル（esterquat）布地コンディショニング剤を香料を添加せずに調製する試みによって、安定な粘度を有するエマルション類を得るために香料の存在が必要であることも証明された。本明細書で説明した種類の香料を含まないエマルション類がエージング期間後に粘度安定性を有しないことから、香料は、粘度を維持しかつ保管期間後に分離しないエマルション類の達成において物理的／化学的役割を担うことが分かった。
【００１３】
従って、香りがカスタマイズされたランドリー製品類の形成方法や、洗濯し終わった布地がユーザーに気に入られるように、洗濯される布地に香料を有効に提供できる方法が、当該技術分野では必要である。
【００１４】
同様に、消費者自身が自宅で香料を容易に導入する方法が、当該技術分野ではまだ必要である。好ましくは、この方法は、ユーザーにとって極めて簡便で容易な楽しめる様式で成されるべきである。洗剤または柔軟仕上げ剤に心地よい香りをもたらす一方で、洗浄した衣類に良好な爽やかさを供給することも解決するべきである。前記方法はまた、好ましくは高剪断機械攪拌および装置に関する必要性も回避すべきである。更に、香料を無香性ベース処方に組み込むこととは別に、最終製品のレオロジー的でかつ物理的な安定性と、前記ベース処方並びに香料の両者の有効性とに悪影響を及ぼさずにそのようなことが行われる方法が必要である。
【００１５】
洗濯物の香りのカスタマイズは、先行技術に報告されている。英国特許第２３０４７４０号には、アイロンを介して洗濯物に芳香を適用する工程を含む、洗濯物の処理方法が開示されている。スチームアイロンのリザーバ内の水にアフターシェーブロ−ションまたは香料を数滴添加することにより、洗濯物に微かな心地よい芳香が付与される。イタリア国特許第１２９８８９８号には、点滴装置によって洗浄（the wash）に香料を添加することが開示されている。欧州特許第３９１０８７号には、洗浄プロセスの終点近くで、すなわち最終洗浄サイクル中または最終すすぎ段階中に、少なくとも１グラムの芳香剤物質を含有する水溶性または水分散性固体の形態で、すなわち適切な大きさの錠剤またはカプセルとして芳香剤物質を洗浄液もしくはリンス液に供給する、洗浄プロセスが記載されている。
【００１６】
本発明とは対照的に、前記技術は、説明書に従って、香料を別個に選択してニュートラルな香りの組成物に投与することができ、あるいはユーザーが、説明書に従って、特定の洗濯物を洗浄するのに最も適していると考えるユーザー独自の香りがカスタマイズされるランドリー製品を処方することができ、そして更には、様々なランドリー製品類に配合することが可能であるという、本発明の概念の最も重要なものの一つに気付いていなかった。本発明は、１回の洗濯作業に即して使用される消費者独自のランドリー製品を処方およびカスタマイズする柔軟性を消費者に与える。
【発明の開示】
【発明が解決しようとする課題】
【００１７】
従って、本出願人らは、前記需要を解決し、香料の量と香りの扱い易さや柔軟性についての消費者の要求を満たし、そして単一製品内で組み合わせたときに通常では保管問題を表す場合がある香料組成物類の化合物類の使用を可能にする、本発明による物品類、キット類、および方法を開発した。消費者が、様々な香料類を組み合わせて、それらを洗剤類および柔軟仕上げ剤類に別々に挿入する（layer）ことも可能である。非貫入性香料をベース洗剤および／または柔軟仕上げ剤、並びに布地上に付着するように特に設計された香料に供給することの不適応性もまた独自に解決する。
【００１８】
本発明の総体的な利益は、消費者の目を引くだけでなく、長持ちもするような組成物類から布地上への香料供給の改善と定義することができる。
【００１９】
本発明の適用はまた、長期間の保管中に香料の放出ペースを低下させることまたは香料を放出させないことも可能である。このような概念によれば、香料をほとんど無駄にせずに、消費者が香料濃度を１回分の洗濯物（the load）の特定の要求に合わせることができることから、製品中でずっと低い香料濃度を使用することも可能である。
【００２０】
ある技術態様において、本発明は、限定された許容度を有する成分または特に長期間の保管時に香料類にとって有害でもある成分を含有するランドリー製品を処方することが可能である。他方、香料組成物類または香料化合物類は、これまで、相溶性、安定性または販売上の理由のために広範な使用が見出されていなかった。
【００２１】
これらの利点及び他の利点は、発明を実施するための最良の形態においてより明白となるであろう。
【課題を解決するための手段】
【００２２】
第１の実施形態では、本発明は、次の工程：ａ）ニュートラルな香りのベース組成物を選択する工程；ｂ）香料組成物を選択する工程；ｃ）香料組成物をニュートラルな香りのベース組成物に投与および分配することによって、単位用量のカスタマイズされたランドリー製品を形成する工程；ｄ）工程ｃ）で形成された、単位用量のカスタマイズされたランドリー製品を洗濯洗浄液に分配する工程を含む、洗濯作業方法を目的とする。
【００２３】
本発明の第２実施形態によれば、次の構成要素：ａ）ニュートラルな香りのベース組成物からの選択物；ｂ）ある分類の香料組成物類からの選択物；ｃ）消費者が香料組成物類を選択し、それをニュートラルな香りのベース組成物に投与および分配することによって、洗濯作業で使用するための単位用量のカスタマイズされたランドリー製品を形成するための手段を含む、香りがカスタマイズされた単位用量のランドリー製品を提供するキットが提供される。
【００２４】
本発明の第３の実施形態によれば、複数の香料組成物を含むアセンブリであって、前記アセンブリが、前記香料組成物類のうち１つ以上を選択し、および／またはそれをニュートラルな香りのベース組成物に投与および／または分配することによって、洗濯作業で使用するための単位用量のカスタマイズされたランドリー製品を形成する仕方を消費者に指示する手段をさらに含む、前記アセンブリが提供される。
【００２５】
本発明は、更に、香料組成物を含む製品であって、前記製品が、消費者が前記香料組成物を選択し、前記香料組成物をニュートラルな香りのベース組成物に投与および分配することによって、洗濯作業で使用するための単位用量のカスタマイズされたランドリー製品を形成する手段を更に含む、前記製品を包含する。
【発明を実施するための最良の形態】
【００２６】
本明細書で使用するとき、「ニュートラルな香りの」ものとは、悪臭を防ぐために精製された原材料類、および／または臭気遮断薬類、および／または悪臭成分の臭いを中和する香料を含む組成物類をいう。
【００２７】
ニュートラルな香りの組成物類は、また、アミンもしくは硫黄含有化合物類などの強い臭いの影響を有する残留構成成分を排除するために精製された界面活性剤、ポリマーおよび酵素構成成分類などの精製成分類を含有する組成物類も包含する。同様に、前記ニュートラルな香りの組成物類には、ムスク、イオノン類、および幾つかのエステル類／テルペン類などの既知の中和香料構成成分を含有する組成物類も包含される。
【００２８】
ニュートラルな香りのベース組成物
ニュートラルな香りのベース組成物は、好ましくは無香性の洗濯洗剤組成物および／または無香性布地コンディショニング組成物から選択される。
【００２９】
本記述でいう「ニュートラル」とは、ベース洗剤が、香料添加物類を妨害し得る認識可能な臭気を有しないことを示すと理解すべきである。このことは、精製成分材料によって洗剤または柔軟仕上げ剤からベース臭気を排除して基本的に無臭性にすることにより、達成することができる。あるいは、ベース組成物は、悪臭の知覚を緩和する悪臭中和成分類を含有する。第３の選択肢としては、布地処理組成物成分類の望ましくない臭いを断つために必要なマスキング香料類である、ニュートラル香料類の添加が挙げられる。これら香料類は、典型的に、あらゆる添加物香料類と適合し得る、ニュートラルな匂い特性を有する非常に揮発性の高い材料または香料原材料類である。ニュートラルな香りのベース組成物は、特定の実施形態では、ベース組成物の個性を増強するように設計された、低い臭気度を特徴とする香料を含むことができる。
【００３０】
ニュートラルな香りの洗濯洗剤ベース組成物
ニュートラルな香りの洗濯洗剤ベース組成物は、本発明の製品、方法およびキットにおいて提供される。
【００３１】
本明細書において有用なニュートラルな香りの洗濯洗剤ベース組成物は、布地物品を洗濯するのに使用されて、汚れ、油類、化学物質類、生地汚れ（body soils）等のような好ましくない物質を除去する。布地物品は、ニュートラルな香りのベース洗濯洗剤組成物で洗濯される。従って、洗濯洗剤組成物は、両性界面活性剤、アニオン性界面活性剤、カチオン性界面活性剤、非イオン性界面活性剤、双極性界面活性剤、およびこれらの組み合わせから成る群より選択される少なくとも１つの洗浄性界面活性剤を含有する。
【００３２】
洗剤組成物において有用な洗浄性界面活性剤類の非限定的な例としては、従来のＣ１１〜Ｃ１８アルキルベンゼンスルホネート類、並びに第１級の分枝鎖およびランダムＣ１０〜Ｃ２０アルキルスルフェート類、式ＣＨ３（ＣＨ２）ｘ（ＣＨＯＳＯ３＜−＞Ｍ＜＋＞）ＣＨ３およびＣＨ３（ＣＨ２）ｙ（ＣＨＯＳＯ３＜−＞Ｍ＜＋＞）ＣＨ２ＣＨ３のＣ１０〜Ｃ１８第２級（２，３）アルキルスルフェート類（前記式中、ｘおよび（ｙ＋１）は少なくとも約７、好ましくは少なくとも約９の整数であり、およびＭは、水溶性化カチオン、特にナトリウムである）、硫酸オレイルなどの不飽和スルフェート類、Ｃ１０〜Ｃ１８アルキルアルコキシスルフェート類；特に、ＥＯ  １〜７エトキシスルフェート類）、Ｃ１０〜Ｃ１８アルキルアルコキシカルボキシレート類（特に、ＥＯ  １〜５エトキシカルボキシレート類）、Ｃ１０〜Ｃ１８グリセロールエーテル類、Ｃ１０〜Ｃ１８アルキルポリグリコシド類およびこれらの対応する硫酸化ポリグリコシド類、並びにＣ１２〜Ｃ１８α−スルホン化脂肪酸エステル類が挙げられる。必要に応じて、いわゆる狭幅のアルキルエトキシレート類を包含するＣ１２〜Ｃ１８アルキルエトキシレート類、並びにＣ６〜Ｃ１２アルキルフェノールアルコキシレート類（特に、エトキシレ−ト類およびエトキシ／プロポキシ混成）、Ｃ１２〜Ｃ１８ベタイン類およびスルホベタイン類、Ｃ１０〜Ｃ１８アミンオキシド類などのような従来の非イオン性および両性界面活性剤類を、組成物全体に包含することもできる。Ｃ１０〜Ｃ１８Ｎ−アルキルポリヒドロキシ脂肪酸アミド類も使用することができる。典型的な例としては、Ｃ１２〜Ｃ１８Ｎ−メチルグルカミド類が挙げられる。ＰＣＴ国際公開特許ＷＯ９２／０６１５４（クック（Cook）ら、１９９２年４月１６日公開）を参照のこと。他の糖由来界面活性剤類としては、Ｃ１０〜Ｃ１８のＮ−（３−メトキシプロピル）グルカミドなどのＮ−アルコキシポリヒドロキシ脂肪酸アミド類が挙げられる。Ｎ−プロピル〜Ｎ−ヘキシルＣ１２〜Ｃ１８グルカミド類を低発泡化のために使用することができる。Ｃ１０〜Ｃ２０の従来の石鹸類を使用してもよい。高発泡化が望ましい場合、分枝鎖Ｃ１０〜Ｃ１６石鹸類を使用してもよい。アニオン性界面活性剤と非イオン性界面活性剤の混合物が特に有用である。好ましくは、洗濯洗剤組成物は、少なくとも約０．０１重量％、より好ましくは少なくとも約０．１重量％、更により好ましくは少なくとも約１重量％、そしてなおより好ましくは約１重量％〜約５５重量％の洗浄性界面活性剤性を含む。洗浄性界面活性剤に加えて、洗濯洗剤組成物は、再付着防止剤、漂白剤、漂白活性剤、増白剤、ビルダー、キャリア、キレート化剤、粘土質土壌除去剤、分散剤、染料、移染防止剤、酵素、酵素安定化法、布地柔軟化活性物質、充填剤、ヒドロトロープ、加工助剤、汚れ放出ポリマー、溶媒、発泡促進剤、発泡抑制剤などのような１つ以上の補助成分類を更に含有してよい。
【００３３】
ニュートラルな香りのベース洗濯洗剤組成物は、１つ以上の補助成分類、例えば、布地柔軟化活性物質を含有してよいが、洗浄サイクルにおいてニュートラルな香りのベース洗濯洗剤組成物が布地に適用され、そしてそれ故にその主要機能が、望ましくない物質を布地物品から洗浄して除去することである点で、布地コンディショニング組成物とは区別される。
【００３４】
ニュートラルな香りのベース洗濯洗剤組成物は、物理的な形状に制限されず、顆粒、粉末、液体、ゲル、ペースト、錠剤、またはバーであってよい。好ましくは、洗濯洗剤組成物の形状は、顆粒、粉末、液体、またはゲルであり、そしてより好ましくは、前記洗濯洗剤組成物は、液状またはゲル状の洗濯洗剤組成物である。理論に束縛されるものではないが、液状またはゲル状は、布地物品に対してより穏やかである場合があり、低温でより溶解性が高い場合があり、および／または酵素の作用を受け易い汚れに対してより有効である場合があると考えられる。本明細書において有用な洗濯洗剤組成物の具体的で非限定的な例としては、例えば、ＰＣＴ国際公開特許ＷＯ  ９５／３３０４４（ヴィンサン（Vinson）ら、１９９５年１２月７日公開）；ＰＣＴ国際公開特許ＷＯ  ９９／０９１２６（ベッチオール（Bettiol）ら、１９９９年２月２５日公開）；ＰＣＴ国際特許出願の米国出願番号００／００８３９（ショーウェル（Showell）ら、２０００年１月１３日出願）；米国特許第５，９１６，８６２号（モアリ（Morelli）ら、１９９９年６月２９日発行）；米国特許第５，５６５，１４５号（ワトソン（Watson）ら、１９９６年１０月１５日発行）；米国特許第５，４７０，５０７号（フレッズ（Fredj）ら、１９９５年１１月２８日発行）；米国特許第５，４６６，８０２号（パナディッカー（Panadiker）ら、１９９５年１１月１４日発行）；米国特許第５，４６０，７５２号（フレッズら、１９９５年１０月２４日発行）；米国特許第５，４５８，８１０号（フレッズら、１９９５年１０月１７日発行）；米国特許第５，４５８，８０９号（フレッズら、１９９５年１０月１７日発行）；米国特許出願公開２００３／０１０４９６９（コズウェル（Caswell）ら）、および米国特許出願公開２００５／００２６７９３（コズウェルら）に記載されているものが挙げられる。
【００３５】
ニュートラルな香りのベース布地コンディショニング組成物
ニュートラルな香りのベース布地コンディショニング組成物は、本発明の方法およびキットで提供される。本明細書において有用な布地コンディショニング組成物は、布地物品の表面および／または内部に適用されて布地物品の特性を改質し、また柔らかさ、触り心地、低減された静電気、増強されたふわふわ感、改良された繊維および色の保持、低減された皺、低減されたもつれ、低減された表面摩擦などのような１つ以上の利点を提供する。そのために、布地物品を布地コンディショニング組成物で調節する。
【００３６】
有用なニュートラルな香りのベース布地コンディショニング組成物類は、液状、固体形態、ゲル状、またはシート状であってよく、そして典型的に、洗浄サイクルで、すすぎサイクルで、および／または乾燥サイクル中に布地物品に適用される。好ましくは、布地コンディショニング組成物は、すすぎサイクルでおよび／または乾燥サイクルで布地に適用される。本発明の非常に好ましい実施形態では、布地コンディショニング組成物は、洗浄プロセスのすすぎサイクル中に布地物品に適用される液体布地コンディショニング組成物である。ニュートラルな香りのベース布地コンディショニング組成物は、典型的に、微細なスメクタイト粘土、シリコーン誘導体、カチオン性布地柔軟化活性物質、および／またはこれらの混合物などの布地柔軟化活性物質を約０．１％〜約９０％、好ましくは約０．５％〜約７０％、そしてより好ましくは約１％〜約４０％含有する。好ましくは布地柔軟化活性物質類としては、四級アンモニウム化合物類またはそれらのアミン前駆体類、カチオン性アンモニウム柔軟化化合物類、非イオン性柔軟化化合物類、およびこれらの混合物が挙げられる。より好ましい布地柔軟化活性物質類および布地コンディショニング組成物類としては、米国特許第４，０６２，６４７号（ストーム（Storm）およびナーシュル（Nirschl）、１９７７年１２月１３日発行）；米国特許第４，３７５，４１６号（クリスプ（Crisp）ら、１９８３年３月１日発行）；米国特許第４，２９１，０７１号（ハリス（Harris）ら、１９８１年９月２２日発行）；およびＰＣＴ国際特許出願の米国出願番号９９／１５０５６（ブライアント（Bryant）ら、１９９９年７月１日出願）に開示されているものが挙げられる。
【００３７】
非常に好ましい実施形態では、布地コンディショニング組成物は、この点で、清澄な、透明な、半透明の、または乳白色の布地コンディショニング組成物である。非常に好ましい布地コンディショニング組成物類の具体例としては、米国特許第５，７４７，４４３号（ワール（Wahl）ら、１９９８年５月５日発行）並びに米国特許出願番号０８／６２１，０１９；米国特許出願番号０８／６２０，６２７；米国特許出願番号０８／６２０，７６７；米国特許出願番号０８／６２０，５１３；米国特許出願番号０８／６２１，２８５；米国特許出願番号０８／６２１，２９９；米国特許出願番号０８／６２１，２９８；米国特許出願番号０８／６２０，６２６；米国特許出願番号０８／６２０，６２５；米国特許出願番号０８／６２０，７７２；米国特許出願番号０８／６２１，２８１；米国特許出願番号０８／６２０，５１４；および米国特許出願番号０８／６２０，９５８（いずれも１９９６年３月２２日出願されかついずれも名称「濃縮された、安定な、好ましくは清澄な、布地柔軟化組成物（CONCENTRATED,STABLE, PREFERABLY CLEAR, FABRIC SOFTENING COMPOSITION）」を有するもの）に開示されているものが挙げられる。
【００３８】
布地コンディショニング組成物は、溶媒、抗菌剤、付着助剤、ｐＨ緩衝剤、染料、蛍光増白剤、粘度／分散性改質剤、移染防止剤、シリコーン類およびポリマー類などの布地表面改質剤類、汚れ放出剤、相安定化剤、安定化剤、およびこれらの混合物などの１つ以上の補助成分類を更に含んでよい。好ましい補助成分類としては、界面活性剤、ｐＨ緩衝剤、粘度改質剤、染料、およびこれらの混合物が挙げられる。
【００３９】
本発明のニュートラルな香りのベース組成物は、香料原材料を含まないが、精製された処方成分類を含んで悪臭残渣（通常はアミン系または硫黄系化合物類）を排除する組成物類である。
【００４０】
本発明のニュートラルな香りのベース組成物類は、新規の（unique）臭気遮断成分類を含むか、またはイオノン類、ムスク類、テルペン類、もしくはエステル類などのニュートラルのマスキング香料類を含む組成物類である。このようなニュートラルのマスキング香料類に極めて好適な香料原材料類は、酢酸プレニル、リグストラール（Ligustral）、フロラロゾン（Floralozone）、δ−ダマスコーン、ウンデカベルトール、α−イオノン、β−イオノン、γ−メチルイオノン、４−第３級ブチルシクロヘキシルアセテート、δ−ムセノン、ハバノリド（Habanolide）、ヘレトリド（Heletolide）、オレンジテルペン類、およびオイカリプトールである。
【００４１】
ＰＣＴ国際公開特許ＷＯ９８５００１０には、組成物中の悪臭を発するポリマー類および／または悪臭を発する液体キャリア類の使用に付随する悪臭を遮蔽するのに役立つ香料物質類の選抜された組み合わせが記載されている。米国特許出願公開２００４２５３１９９には、布地物品に含有される布地ケア基剤中で生じる脂肪酸誘導体の分解および／または有機アミンの分解の結果として形成される悪臭を低減する方法が記載されている。ＰＣＴ国際公開特許ＷＯ  ０２０６６５９１には、洗濯によって生じる悪臭を低減することが可能なリソスタフィン活性を有する酵素が開示されている。
【００４２】
悪臭中和剤および／または臭気遮断剤類は、米国特許出願公開２００５１２４５１２、欧州特許第１５３３４１５、米国特許出願公開２００４２４８７６２、欧州特許第１１６７５０７、および悪臭制御剤類に関する米国特許出願公開２００５００２６７９３に記載されている。
【００４３】
特定のオクタノール／水分配係数（Ｐ）を有する香料組成物類の処方。香料成分のオクタノール／水分配係数は、オクタノール内と水中内でのその平衡濃度間の比である。このベース組成物は、前記のニュートラルなベース組成物が、ＣｌｏｇＰが２．５未満の構成成分を少なくとも約５０％を有する非残留香料を約０．０１％〜約１０％含むことを特徴とし、ここで、ＣｌｏｇＰは、底１０に対する対数（ｌｏｇＰ）として表される、オクタノール／水分配係数（Ｐ）の計算値である。
【００４４】
多くの香料成分のｌｏｇＰが報告されている；例えば、カリフォルニア州アーヴィン（Irvine）のデイライト・ケミカル・インフォメーション・メソッズ社（Daylight Chemical Information Methods, Inc.）（デイライトＣＩＳ（Daylight CIS））より入手可能なポモナ９２（Pomona92）データベースには、元の文献からの引用と併せて、多くのｌｏｇＰが収納されている。ただし、ｌｏｇＰ値は、デイライトＣＩＳ（Daylight CIS）からも入手可能な「ＣＬＯＧＰ」プログラムによって最も便利に計算される。このプログラムはまた、ｌｏｇＰの実験値も、それらがポモナ９２（Pomona92）データベースにおいて入手可能な場合には、一覧にしている。「ｌｏｇＰの計算値」（ＣｌｏｇＰ）は、ハンシュ（Hansch）及びレオ（Leo）のフラグメント手法により求められる（Ａ．レオ（A. Leo）の「総括医薬品化学（Comprehensive Medicinal Chemistry）」、第４巻、Ｃ．ハンシュ（C.Hansch）、Ｐ．Ｇ．サメンス（P.G.Sammens）、Ｊ．Ｂ．テイラー（J.B.Taylor）、及びＣ．Ａ．ランスデン（C. A. Ransden）編、２９５頁、ペルガモン出版（Pergamon Press）、１９９０年を参照し、これを参照として本明細書に組み込む）。このフラグメント手法は、各香料成分の化学構造に基づき、そして原子の数と種類、原子の連結性、及び化学結合を考慮に入れる。この物理化学的特性のために最も信頼できかつ広く用いられている推定値であるＣｌｏｇＰ値を、好ましくは、本発明で有用な香料成分の選択においてｌｏｇＰの実験値の代わりに用いる。
【００４５】
多くの香料成分類の沸点は、例えば、著者Ｓ．アークタンダー（S. Arctander）が１９６９年に出版した「香料及び香味化学物質（芳香化学物質（Perfume and Flavor Chemicals (Aroma Chemicals)）」に記載されており、これを参照として本明細書に組み込む。その他の沸点の値は、バイルスタイン・ハンドブック（Beilstein Handbook）、ランゲの化学ハンドブック（Lange’s Handbook of Chemistry）、並びに、化学及び物理学のＣＲＣハンドブック（CRC Handbook of Chemistry and Physics）のような様々な化学ハンドブック及びデータベースから入手することができる。沸点が異なった圧力（通常は、常圧１０１．３ｋＰａ（７６０ｍｍＨｇ）未満の圧力）でのみ得られる場合、常圧での沸点は、「化学者の手引書（The Chemist's Companion）」、Ａ．Ｊ．ゴードン（Gordon）及びＲ．Ａ．フォード（Ford）、ジョン・ワイリー・アンド・サンズ出版社（John Wiley & Sons Publishers）、１９７２年、３０〜３６頁に記載されているものなどの、沸点−圧力計算図表を使用して概算することができる。妥当な場合、沸点値は、分子構造データに基づいて、「ピラン類およびピロール類の標準沸点のコンピュータ支援予測（Computer-Assisted Prediction of Normal Boiling Points of Pyrans and Pyrroles）」、Ｄ．Ｔ．スタントン（D. T. Stanton）ら、化学情報計算科学会誌（J. Chem. Inf. Comput. Sci.）、３２（１９９２年）、３０６〜３１６頁、「フラン類、テトラヒドロフラン類およびチオフェン類の標準沸点のコンピュータ支援予測（Computer-Assisted Prediction of Normal Boiling Points of Furans, Tetrahydrofurans, and Thiophenes）」、Ｄ．Ｔ．スタントンら、化学情報計算科学会誌、３１（１９９２年）、３０１〜３１０頁、およびこれらに引用された参考文献、並びに「分子構造からの物理特性の予測（Predi
cting Physical Properties from Molecular Structure）」、Ｒ．マラガン（R. Murugan）ら、科学技術（Chemtech）、１９９４年６月、１７〜２３頁に記載されているものなどの、コンピュータ・プログラムで計算することもできる。上記刊行物をいずれも参照として本明細書に組み込む。従って、約２５０℃以上のＢ．Ｐ．および約３以上のＣｌｏｇＰを有する成分から主に構成される香料組成物を使用する場合、香料は、布地に非常に有効に付着して、すすぎおよび乾燥（自然乾燥または機械乾燥）工程後に布地上で永続性を保持する。
【００４６】
香料組成物類
本明細書で使用するとき、用語「香料」は、水性処理槽中におよび／またはそれと接触した布地上に後で放出されるいずれかの発香性物質を表すのに用いられる。香料は、ほとんどの場合、周囲温度で液体である。アルデヒド類、ケトン類、およびエステル類のような物質を包含する、多種多様な化学物質類が香料用途として知られている。より一般的には、様々な化学構成成分類の複合混合物類を含む、天然起源の植物油および動物油、並びに滲出物も香料としての用途において知られている。本明細書中の香料類は、その組成が比較的単純であることもでき、または天然及び合成化学構成成分類の極めて精巧な複合混合物を含むこともでき、いずれも、いずれかの所望の匂いを提供するように選択される。典型的な香料類は、例えば、ビャクダン、シベット、及びパチョリ油のようなエキゾチックな物質類を含有する木／土由来のものを含むことができる。香料類は、例えば、バラ抽出物、スミレ抽出物、およびライラックのような軽い花の芳香を有するものでもあり得る。香料類は、例えば、ライム、レモン及びオレンジなどのような望ましい果実の香りを提供するように処方することもできる。更に、消費者が望めば、典型的には皮膚に直接適用される、いわゆる「デザイナー香水類（designer fragrances）」を使用することも予期される。同様に、本発明の組成物類および物品類において供給される香料類は、落ち着いた状態または活性化状態の提供などの、アロマセラピー効果のために選択されてもよい。そのようなものとして、心地よい香りあるいは望ましい匂いを発散するいずれかの物質を、香料活性物質として本発明の組成物および物品中で使用することができる。
【００４７】
好ましくは、香料の少なくとも約２５重量％、より好ましくは少なくとも約５０重量％、更により好ましくは少なくとも約７５重量％は、分子量約１３０〜約２５０の芳香族および脂肪族エステル類；分子量約９０〜約２４０の脂肪族および芳香族アルコール類；分子量約１５０〜約２６０の脂肪族ケトン類；分子量約１５０〜約２７０の芳香族ケトン類；分子量約１３０〜約２９０の芳香族および脂肪族ラクトン類；分子量約１４０〜約２００の脂肪族アルデヒド類；分子量約９０〜約２３０の芳香族アルデヒド類；分子量約１５０〜約２７０の脂肪族および芳香族エーテル類；並びに分子量約１８０〜約３２０の、アルデヒド類とアミン類との縮合生成物類から成る群より選択される芳香剤物質であって、本質的にはニトロムスク類およびハロゲン化芳香物質類を含まない芳香剤物質から構成される。
【００４８】
より好ましくは、香料の少なくとも約２５重量％、より好ましくは少なくとも約５０重量％、最も好ましくは少なくとも約７５重量％は、次の１慣用名  化学種  化学名  およその分子量を有するものから成る群より選択される芳香物質から構成される：アドキサル  脂肪族２，６，１０−トリメチル−９−ウンデセン−１−アール  ２１０  アルデヒド、アリルアミルグリコレート  エステル  アリルアミルグリコレート  １８２、アリルシクロヘキサンエステル  アリル−３−シクロヘキシルプロピオネート  １９６  プロピオン酸エステル、酢酸アミル  エステル  ３−メチル−１−ブタノールアセテート  １３０、サリチル酸アミル  エステル  サリチル酸アミル  ２０８、アニスアルデヒド  芳香族４−メトキシベンズアルデヒド  １３６  アルデヒド、アントラニル酸メチルとヒドロキシシトロネラルとのアウランチオールシッフ塩基縮合生成物  ３０５、バクダノール  脂肪族アルコール  ２−エチル−４−（２，２，３−トリメチル−３−  ２０８  シクロペンテン−１−イル）−２−ブテン−１−オール、ベンズアルデヒド  芳香族ベンズアルデヒド  １０６  アルデヒド、ベンゾフェノン  芳香族ケトン  ベンゾフェノン  １８２、酢酸ベンジル  エステル  酢酸ベンジル  １５０、サリチル酸ベンジル  エステル  サリチル酸ベンジル  ２２８、β−ダマスコーン  脂肪族ケトン  １−（２，６，６−トリメチル−１−シクロ−  １９２  ヘキセン−１−イル）−２−ブテン−１−オン）、β，γ−ヘキサノール  アルコール  ３−ヘキセン−１−オール  １００、ブコキシム  脂肪族ケトン  １，５−ジメチル−オキシム  １６７  ビシクロ［３，２，１］オクタン−８−オン、セドロール  アルコール  オクタヒドロ−３，６，８，８−テトラメチルー  ２２２  １Ｈ−３Ａ，７−メタノアズレン−６−オール、セタロックス  エーテル  ドデカヒドロ−３Ａ，６，６，９Ａ−  ２３６  テトラメチルナフト［２，１Ｂ］−フラン、シス−３−ヘキセニルアセテート  エステル  シス−３−ヘキセニルアセテート  １４２、シス−３−ヘキセニルサリチレート  エステル  β，γ−ヘキセニル  ２２０  サリチレート、シトロネロール  アルコール  ３，７−ジメチル−６−オクテノール  １５６、シトロネリルニトリル  ニトリル  ゲラニルニトリル  １５１、丁子由来の油  天然クマリン  ラクトン  クマリン  １４６、サリチル酸シクロヘキシル  エステル  サリチル酸シクロヘキシル  ２２０、シマール  芳香族２−メチル−３−（パライソプロピル  １９０  アルデヒドフェニル）プロピオンアルデヒド、デシルアルデヒド  脂肪族デシルアルデヒド  １５６  アルデヒド、δ−ダマスコーン  脂肪族ケトン  １−（２，６，６−トリメチル−３−シクロ−  １９２  ヘキセン−１−イル）−２−ブテン−１−オン、ジヒドロミルセノール  アルコール  ３−メチレン−７−メチルオクタン−  １５６  ７−オール、ジメチルベンジルカルビニル  エステル  ジメチルベンジルカルビニル  １９２  アセテート、アセテートエチルバニリン  芳香族エチルバニリン  １６６  アルデヒド、エチル−２−メチルブチレート  エステル  エチル−２−メチルブチレート  １３０、エチレンブラシレート  大環状エチレントリデカン−１，１３−二酸  ２７０  ラクトン、オイカリ��トール  脂肪族１，８−エポキシ−パラ−メンタン  １５４  エポキシド、オイゲノール  アルコール  ４−アリル−２−メトキシフェノール  １６４、エキサトリド  大環状シクロペンタデカノリド  ２４０  ラクトン、フロールアセテート  エステル  ジヒドロ−ノル−シクロペンタジエニル  １９０  アセテート、フロールヒドラール  芳香族３−（３−イソプロピルフェニル）ブタナル  １９０  アルデヒド、フルテン  エステル  ジヒドロ−ノル−シクロペンタジエニル  ２０６  プロピオネート、ガラクソリド  エーテル  １，３，４，６，７，８−ヘキサヒドロ−  ２５８  ４，６，６，７，８，８−ヘキサメチルシクロペンタ−γ−２−ベンゾピラン、γ−デカラクトン  ラクトン  ４−Ｎ−ヘプチル（hepty）−４−ヒドロキシブタン  １７０  酸  ラクトン、γ−ドデカラクトン  ラクトン  ４−Ｎ−オクチル−４−ヒドロキシ−ブタン−  １９８  酸ラクトン、ゲラニオール  アルコール  ３，７−ジメチル−２，６−オクタジエン−１−オール  １５４、酢酸ゲラニル  エステル  ３，７−ジメチル−２，６−オクタジエン−１−イル  １９６  アセテート、ゲラニルニトリル  エステル  ３，７−ジメチル−２，６−  １４９  オクタジエンニトリル、ヘリオナール  芳香族α−メチル−３，４，１９２  アルデヒド（メチレンジオキシ）  ヒドロ桂皮アルデヒド、ヘリオトロピン  芳香族ヘリオトロピン  １５０  アルデヒド、酢酸ヘキシル  エステル  酢酸ヘキシル  １４４、ヘキシル桂皮アルデヒド  芳香族α−ｎ−ヘキシル桂皮  ２１６  アルデヒド  アルデヒド、サリチル酸ヘキシル  エステル  サリチル酸ヘキシル  ２２２、ヒドロキシアンブラン  脂肪族アルコール  ２−シクロドデシル−プロパノール  ２２６、ヒドロキシシトロネラール  脂肪族ヒドロキシシトロネラール  １７２  アルデヒド、イオノン−α  脂肪族ケトン  ４−（２，６，６−トリメチル−１−  １９２  シクロヘキセニル−１−イル）−３−ブテン−２−オン、イオノン−β  脂肪族ケトン  ４−（２，６，６−トリメチル−１−  １９２  シクロヘキセン−１−イル）−３−ブテン−２−オン、イオノン−γ−メチル  脂肪族ケトン  ４−（２，６，６−トリメチル−２−  ２０６  シクロヘキシル−１−イル）−３−メチル−３−  ブテン−２−オン、イソＥスーパー  脂肪族ケトン  ７−アセチル−１，２，３，４，５，６，７，８−  ２３４  オクタヒドロ−１，１，６，７，テトラメチルナフタレン、イソオイゲノール  エーテル  ２−メトキシ−４−（１−プロペニル）  １６４  フェノール、イソジャスモン  脂肪族ケトン  ２−メチル−３−（２−ペンテニル）−２−  １６６  シクロペンテン−１−オン、コアボン  脂肪族アセチルジ−イソアミレン  １８２  アルデヒド、ラウリンアルデヒド  脂肪族ラウリンアルデヒド  １８４  アルデヒド、ラバンジン  天然ラベンダー、天然レモンＣＰ  天然主成分  ｄ−リモネン、ｄ−リモネン／オレンジテルペン類  アルケン  １−メチル−４−イソ−プロペニル−１−  １３６  シクロヘキセン、リナロール  アルコール  ３−ヒドロキシ−３，７−ジメチル−１，６−  １５４  オクタジエン、酢酸リナリル  エステル  ３−ヒドロキシ−３，７−ジメチル−１，６−  １９６  オクタジエンアセテート、Ｉｒｇ２０１  エステル  ��，４−ジヒドロキシ−３，６−ジメチル  １９６  安息香酸メチルエステル、ライラール  脂肪族４−（４−ヒドロキシ−４−メチル−ペンチル）  ２１０  アルデヒド  ３−シクロヘキセン−１−カルボキシアルデヒド、マジャントール  脂肪族アルコール  ２，２−ジメチル−３−（３−  １７８  メチルフェニル）−プロパノール、マイヨール  アルコール  ４−（１−メチルエチル）シクロヘキサン  １５６  メタノール、メチルアントラニレート  芳香族アミン  メチル−２−アミノベンゾエート  １５１、メチルβ−ナフチルケトン  芳香族ケトン  メチルβ−ナフチルケトン  １７０、メチルセドリロン  脂肪族ケトン  メチルセドレニルケトン  ２４６、メチルカビコール  エステル  １−メチルオキシ−４，２−プロペン−  １４８  １−イル  ベンゼン、メチルジヒドロジャスモネート  脂肪族ケトン  メチルジヒドロジャスモネート  ２２６、メチルノニルアセトアルデヒド  脂肪族メチルノニルアセトアルデヒド  １８４  アルデヒド、ムスクインダノン  芳香族ケトン  ４−アセチル−６−ｔｅｒｔブチル−１，１−  ２４４  ジメチルインダン、ネロール  アルコール  ２−シス−３，７−ジメチル−２，６−  １５４  オクタジエン−１−オール、ノナラクトン  ラクトン  ４−ヒドロキシノナン酸，１５６  ラクトン、ノルリンバノール  脂肪族アルコール  １−（２，６，６−トリメチル−シクロヘキシル）−  ２２６  ３−ヘキサノール、オレンジＣＰ  天然主成分  ｄ−リモネン、Ｐ．Ｔ．ブシナール  芳香族２−メチル−３（パラ  ｔｅｒｔ  ２０４  アルデヒドブチルフェニル）プロピオンアルデヒド、パラヒドロキシフェニル  芳香族ケトン  パラヒドロキシフェニル  １６４  ブタノン  ブタノン、パチョリ  天然フェニルアセトアルデヒド  芳香族１−オキソ−２−フェニルエタン  １２０  アルデヒド、フェニルアセトアルデヒド  芳香族フェニルアセトアルデヒドジメチル  １６６  ジメチルアセタールアルデヒド、アセタールフェニルエチルアセテート  エステル  フェニルエチルアセテート  １６４、フェニルエチルアルコール  アルコール  フェニルエチルアルコール  １２２、フェニルエチルフェニルアセテート  エステル  ２−フェニルエチルフェニルアセテート  ２４０、フェニルヘキサノール／フェノキサノール  アルコール  ３−メチル−５−フェニルペンタノール  １７８、ポリサントール  脂肪族アルコール  ３，３−ジメチル−５−（２，２，３−  ２２１  トリメチル−３−シクロペンテン−１−イル）−４−ペンテン−２−オール、酢酸プレニル  エステル  ２−メチルブテン−２−オール−４−アセト−エート  １２８、ロサフェン  芳香族２−メチル−５−フェニルペンタノール  １７８  アルコール、ビャクダン  天然α−テルピネン  脂肪族アルカン  １−メチル−４−イソ−  １３６  プロピルシクロヘキサジエン−１，３  テルピネオール（α−テルピネオール  アルコール  パラ−メト（menth）−１−エン−８−オール、パラ−  １５４  およびβ−テルピネオール）メト（menth）−１−エン−１−オール、酢酸テルピニル  エステル  パラ−メト（menth）−１−エン−８−イルアセテート  １９６、テトラヒドロリナロール  脂肪族アルコール  ３，７−ジメチル−３−オクタノール  １５８、テトラヒドロミル���ノール  脂肪族アルコール  ２，６−ジメチル−２−オクタノール  １５８、トナリド／ムスク・プラス  芳香族ケトン  ７−アセチル−１，１，３，４，４，６−  ２５８  ヘキサメチルテトラリン、ウンデカラクトン  ラクトン  ４−Ｎ−ヘプチル−４−ヒドロキシブタン  １８４  酸ラクトン、ウンデカベルトール  アルコール  ４−メチル−３−デセン−５−オール  １７０、ウンデシルアルデヒド  脂肪族ウンデカナル  １７０  アルデヒド、ウンデシレンアルデヒド  脂肪族ウンデシレンアルデヒド  １６８  アルデヒド、バニリン  芳香族４−ヒドロキシ−３−  １５２  アルデヒド  メトキシベンズアルデヒド、ベルドックス  エステル  ２−ｔｅｒｔ−ブチルシクロヘキシルアセテート  １９８、ベルテネックス  エステル  ４−ｔｅｒｔ−ブチルシクロヘキシルアセテート  １９８、およびこれらの混合物。
【００４９】
洗濯プロセス中に、洗浄および／またはすすぎサイクルに添加される相当な量の香料が、水と共に失われ、その後の乾燥サイクル（自然乾燥または機械乾燥のいずれか）において失われる。これによって、洗濯された布地に付着しない使用不能の香料が無駄となり、また揮発性有機化合物類の空気中への放出によって一般的な大気汚染を生じることとなる。そのため、香料の少なくとも約２５重量％、より好ましくは少なくとも約５０重量％、更により好ましくは少なくとも約７５重量％は、永続性の香料成分類から構成されるのが好ましい。永続性の香料成分類は、その沸点（Ｂ．Ｐ．）とそのＣｌｏｇＰ値で特徴付けられる。本発明の永続性の香料成分類は、常圧（標準圧）１０１．３ｋＰａ（７６０ｍｍＨｇ）で測定される約２４０℃以上、好ましくは約２５０℃以上のＢ．Ｐ．と、約２．７以上、好ましくは約２．９以上、そして更により好ましくは約３．０以上のＣｌｏｇＰを有する。永続性の香料成分類は、長持ちして、洗濯洗浄および乾燥プロセス後に布地上に留まる傾向がある。
【００５０】
多くの香料成分類の沸点は、例えば、著者ステファン・アークタンダー（Steffen Arctander）によって１９６９年に出版された「香料及び香味化学物質（芳香化学物質（Perfume and Flavor Chemicals (Aroma Chemicals)）」に記載されており、これを参照として本明細書に組み込む。その他の沸点値は、バイルスタイン・ハンドブック（Beilstein Handbook）、ランゲの化学ハンドブック（Lange’s Handbook of Chemistry）、並びに、化学及び物理学のＣＲＣハンドブック（CRC Handbook of Chemistry and Physics）のような様々な化学ハンドブック及びデータベースから入手することができる。沸点が異なった圧力（通常は、常圧１０１．３ｋＰａ（７６０ｍｍＨｇ）未満の圧力）でのみ得られる場合、常圧での沸点は、「化学者の手引書（The Chemist's Companion）」、Ａ．Ｊ．ゴードン（Gordon）及びＲ．Ａ．フォード（Ford）、ジョン・ワイリー・アンド・サンズ出版社（John Wiley & Sons Publishers）、１９７２年、３０〜３６頁に記載されているものなどの、沸点−圧力計算図表を使用して概算することができる。この沸点値は、「小さな多官能有機分子の標準沸点を算出するための定量的な構造−性質関係モデルの開発（Development of a Quantitative Structure--Property Relationship Model for Estimating Normal Boiling Points of Small Multifunctional Organic Molecules）」（デビッドＴ．スタントン（David T. Stanton）、ケミカル・インフォーメーション・アンド・コンピュータ・サイエンス誌（Journal of Chemical Information and Computer Sciences）、第４０巻、２０００年１１月１日、８１〜９０頁に記載されているコンピュータプログラムによって算出することもできる。
【００５１】
約２５０℃以上の沸点および約３．０以上のＣｌｏｇＰの両方を有する、永続性の香料成分類から構成される香料組成物類は、布地に非常に有効に付着して、すすぎおよび乾燥後に布地上で永続性を保持する。
【００５２】
本発明の好ましい永続性の香料成分類の非限定的な例としては、次のものが挙げられる：サリチル酸ベンジル、アドキサル、アリルシクロヘキサンプロピオネート（allyl cyclohexane propionate）（アリル−３−シクロヘキシルプロピオネートの商品名）、α−ダマスコーン、アンブレットリド（ambrettolide）（オキサシクロヘプタデス−１０−エン−２−オ−ン（oxacycloheptadec-10-en-2-on- e）の商品名）、アンブレトーン（ambretone）（５−シクロヘキサデセン−１−オンの商品名）、アンブロキサン、アミル桂皮アルデヒド、アミル桂皮アルデヒドジメチルアセタール、サリチル酸アミル、アンブリノール２０ｔ（ambrinol 20t）（２，５，５−トリメチル−オクタヒドロ−２−ナフ−トールの商品名）、イソＥスーパー（iso E super）（７−アセチル−１，２，３，４，５，６，７，８−オクタヒドロ−１，１−６，７，テトラメチイナフタレン（tetramethyinaphthalene）の商品名）、アナンドール（anandol）（２−エチル−４−（２，２，３−トリメチル−３−シクロペンテン−１−イル）−２−ブテン−１−オールの商品名）、アウランチオール（aurantiol）（ヒドロキシシトロネラル−メチルアントラニレートの商品名）、安息香酸ベンジル、ニルバノール（nirvanol）（４−ペンテン−２−オール，３，３−ジメチル−５−（２，２，３−トリメチル−３−シクロペンテン−１−イル）−の商品名）、ウンデカラクトン（undecalactone）（４−Ｎ−ヘプチル−４−ヒドロキシブタン酸ラクトンの商品名）、β−ナフトールメチルエーテル、ブールゲオナール（bourgeonal）（３−（４−ｔｅｒｔブチルフェニル）−プロパナールの商品名）、シクロヘキサデセノン（cyclohexadecenone）（シス−／トランス−シクロヘキサデス−８−エン−１−オンの商品名）、カリオフィレン・エキストラ、メチルセドリロン（methyl cedrylone）（メチルセドレニルケトンの商品名）、ネオブテノン（neobutenone）（４−ペンテン−１−オン，１−（５，５−ジメチル−１−シクロヘキセン−１−イル）の商品名）、セドランバー、セダック（cedac）（セドリニルアセテートの商品名）、セドロール（cedrol）（オクタヒドロ−３，６，８，８−テトラメチル−１−Ｈ−３Ａ，７−メタノアズレン−６−オールの商品名）、ムスクＣ−１４（musk C-14）（エチレンドデカン二酸エステルの商品名）、シス−３−ヘキセニルサリチレート（cis-3-hexenyl salicylate）（β，γ−サリチル酸ヘキセニルの商品名）、シトラタール、プロピオン酸シトロネリル、ガラクソリド（galaxolide）（１，３，４，６，７，８−ヘキサヒドロ−４，６，６，７，８，８−ヘキサメトリシクロペンタ（hexamethlycyclopenta）−γ−２−ベンゾ−ピラ−ン（2-benzop- yrane）の商品名）、サリチル酸シクロヘキシル、シマール（cymal）（２−メチル−３−（パライソプロピルフェニル）プロピオンアルデヒドの商品名）、ダマスコーンβ（damascone beta）（１−（２，６，６−トリメチルシクロヘキセン−１−イル）−２−ブテン−１−オンの商品名）、ダマセノン（damascenone）（１−（２，６，６−トリメチル−１，３−シクロヘキサジエン−１−イル）−２−ブテン−１−オンの商品名）、δ−ダマスコーン（delta damascone）（１−（２，６，６−トリメチル−３−シクロヘキセン−１−イル）−２−ブテン−−１−オンの商品名）、ジヒドロイソジャスモネート、ジフェニルメタン、デュピカル（dupical）（４−（トリシクロ（５．２．１．０  ２，６）デシリデン−８）−ブタナールの商品名）、ジフェニルオキシド、γ−ドデカラクトン（gamma-dodecalactone）（４−Ｎ−オクチル−４−ヒドロキシ−ブタン酸ラクトンの商品名）、δ−ドデカラクトン、ケイ皮酸エチル、エバノール、エチレンブラシレート（ethylene brassylate）（エチレントリデカン−１，１３−二酸エステルの商品名）、フロルヒドラール（florhydral）（３−（３−イソプロピルフェニル）ブタノールの商品名）、ハバノリド（habanolide）（オキサシクロヘキサデス−１２＋１３−エン−２−オンの商品名）、ヘキシル桂皮アルデヒド（hexyl cinnamic aldehyde）（α−ｎ−ヘキシル桂皮アルデヒドの商品名）、サリチル酸ヘキシル、ヒドロキシアンブラン（hydroxyambran）（２−シクロドデシル−プロパノールの商品名）、イオノンα（ionone alpha）（４−（２，６，６−トリメチル−１−シクロヘキセニル−１−イル）−３−ブテン−２−オンの商品名）、イオノンβ（ionone beta）（４−（２，６，６−トリメチル−１−シクロヘキセン−１−イル）−３−ブテン−２−オンの商品名）、イオノンγメチル（ionone gamma methyl）（４−（２，６，６−トリメチル−２−シクロヘキシル−１−イル）−３−メチル−３−ブテン−２−オンの商品名）、イオノンメチル、イラリア、イソブチルキノリン、ラウリンアルデヒド、ｐ．ｔ．ブシナール（p. t. bucinal）（２−メチル−３（パラｔｅｒｔブチルフェニル）プロピオンアルデヒドの商品名）、ムスクケトン、ムスクインダノン（musk indanone）（４−アセチル−６−ｔｅｒｔブチル−１，１−ジメチルインダンの商品名）、ムスクプラス（musk plus）（７−アセチル−１，１，３，４，４，６−ヘキサメチルテトラリンの商品名）、オクタリノール（octalynol）（１−ナフタレノール，１，２，３，４，４ａ，５，８，８ａ，オクタヒドロ−２，２，６，８−テトラメチルの商品名）、オゾニル（トリデセン−２−ニトリルの商品名）、ファントリド（phantolide）（５−アセチル−１，１，２，３，３，６−ヘキサメチルインダンの商品名）、フェナフリュール（phenafleur）（シクロヘキシルフェニルエチルエーテルの商品名）、安息香酸フェニルエチル、フェニルエチルフェニルアセテート（phenyl ethyl phenyl acetate）（２−フェニルエチルフェニルアセテートの商品名）、酢酸ベチベリル、ビャクダン、安息香酸アミル、ケイ皮酸アミル、カジネン、酢酸セドリル、ギ酸セドリル、ケイ皮酸シンナミル、シクラメンアルデヒド、エキサルトリド（exaltolide）（１５−ヒドロキシペンタデカン酸，ラクトンの商品名）、アントラニル酸ゲラニル、ヘキサデカノリド、サリチル酸ヘキセニル、安息香酸リナリル、２−メトキシナフタレン、ケイ皮酸メチル、メチルジヒドロジャスモネート、β−メチルナフチルケトン、ムスクチベチン、ミリスチシン、δ−ノナラクトン、オキサヘキサデカノリド−１０、オキサヘキサデカノリド−１１、パチョリアルコール、フェニルヘプタノール、フェニルヘキサノール（phenyl hexanol）（３−メチル−５−フェニルペンタノールの商品名）、α−サンタロール、チベトリド（thibetolide）（１５−ヒドロキシペンタデカン酸，ラクトンの商品名）、δ−ウンデカラクトン、γ−ウンデカラクトン、イラ−イラ、メチル−Ｎ−メチルアントラニレート、酪酸ベンジル、イソ吉草酸ベンジル、イソ酪酸シトロネリル、δ−ノナラクトン、ジメチルベンジルカルビニルアセテート、ドデカナール、酢酸ゲラニル（geranyl acetate）（３，７−ジメチル−２，６−オクタジエン−１−イルアセテートの商品名）、イソ酪酸ゲラニル、γ−イオノン、パラ−イソプロピルフェニルアセトアルデヒド、トナリド（tonalid）（７−アセチル−１，１，３，４，４，６−ヘキサメチルテトラリンの商品名）、サリチル酸イソ−アミル、エチルウンデシレネート、ベンゾフェノン、β−カリオフィレン、ドデカラクトン、リリアル（lilial）（パラ−第３級−ブチル−α−メチルヒドロ桂皮アルデヒドの商品名）、およびこれらの混合物。
【００５３】
本発明で使用される好ましい香料組成物類は、少なくとも４つの異なった永続性の香料成分、好ましくは少なくとも５つの永続性の香料成分、より好ましくは少なくとも６つの異なった永続性の香料成分、そして更により好ましくは少なくとも７つの異なった永続性の香料成分を含有する。天然源由来の最も一般的な香料成分は、複数の構成成分から構成される。このような各物質が本発明の好ましい香料組成物類の処方で使用される場合、それら各物質は、本発明を定義する目的のために、単一成分として数えられる。
【００５４】
本発明の香料添加物を作製するために、最適な処方は、香料の良好な溶解性と洗剤および／または柔軟仕上げ剤中での混和性とを一連の濃度にわたって保証するように設計される必要がある。処方は、希釈剤類または増量剤類として使用される無香性もしくは極めて微香性の幾つかの物質を用いて最適化される。これらの物質の非限定的な例は、ジプロピレングリコール、フタル酸ジエチル、クエン酸トリエチル、ミリスチン酸イソプロピル、及び安息香酸ベンジルである。これらの物質は、例えば、幾つかのその他の香料成分を希釈及び安定化するために用いられる。
【００５５】
本発明の香料組成物類はまた、低い臭気検出閾の香料成分を幾つか含むこともできる。臭気物質の臭気検出閾とは、嗅覚的に検知可能な前記物質の最も低い蒸気濃度である。臭気検出閾値及びいくつかの臭気検出閾値については、例えば、「標準化された、ヒト嗅覚の閾値（Standardized Human Olfactory Thresholds）」（Ｍ．デボス（M. Devos）ら著、オックスフォード大学出版ＩＲＬプレス（IRL Press at Oxford University Press）、１９９０年）、及び「臭気及び味覚閾値データ集（Compilation of Odor and Taste Threshold Values Data）」（編者Ｆ．Ａ．ファザラーリ（F.A.Fazzalari）、ＡＳＴＭデータシリーズＤＳ４８Ａ（ASTM Data Series DS 48A）、米国材料試験協会（American Society for Testing and Materials）、１９７８年）で検討されており、これら刊行物をいずれも、参照として組み込む。低い臭気検出閾値を有する香料成分を少量使用することによって、それらが上記で開示した永続性の香料成分ほど永続性でないにしても、香料の臭気特性を改善することができる。
【００５６】
本発明の香料組成物において有用な、かなり低い検出閾を有する香料成分は、グリコール酸アリルアミル、アンブロックス（ambrox）（１，５，５，９−テトラメチル−１，３−オキサトリシクロトリデカンの商品名）、アネトール、バクダノール（bacdanol）（２−エチル−４−（２，２，３−トリメチル−３−シクロペンテン−１−イル）−２−ブテン−１−オールの商品名）、ベンジルアセトン、サリチル酸ベンジル、アントラニル酸ブチル、カロン、セタロックス（cetalox）（ドデカヒドロ−３Ａ，６，６，９Ａ−テトラメチルナフト［２，１Ｂ］−フランの商品名）、桂皮アルコール、クマリン、シクロガルバネート、サイクラールＣ（Cyclal C）（３−シクロヘキセン−１−カルボキシアルデヒド，３，５−ジメチル−の商品名）、シマール（cymal）（２−メチル−３−（パライソプロピルフェニル）プロピオンアルデヒドの商品名）、ダマセノン（damascenone）（１−（２，６，６−トリメチル−１，３−シクロヘキサジエン−１−イル）−２−ブテン−１−オンの商品名）、α−ダマスコーン、４−デセナール、ジヒドロイソジャスモネート、γ−ドデカラクトン（gamma-dodecalactone）（４−Ｎ−オクチル−４−ヒドロキシ−ブタン酸ラクトンの商品名）、エバノール、アントラニル酸エチル、エチル−２−メチルブチレート、エチルメチルフェニルグリシデート、エチルバニリン、オイゲノール（eugenol）（４−アリル−２−メトキシフェノールの商品名）、酢酸フロール（flor acetate）（ジヒドロ−ノル−シクロペンタジエニルアセテートの商品名）、フロルヒドラール（florhydral）（３−（３−イソプロピルフェニル）ブタノールの商品名）、フルクトン（fructone）（エチル−２−メチル−１，３−ジオキソラン−２−アセテートの商品名）、フルテン（frutene）（ジヒドロ−ノル−シクロペンタジエニルプロピオネートの商品名）、ヘリオトロピン、ヘルバベート、シス−３−ヘキセニルサリチレート（cis-3-hexenyl salicylate）（β，γ−サリチル酸ヘキセニルの商品名）、インドール、イオノンα（ionone alpha）（４−（２，６，６−トリメチル−１−シクロヘキセニル−１−イル）−３−ブテン−２−オンの
商品名）、イオノンβ（ionone beta）（４−（２，６，６−トリメチル−１−シクロ−ヘキセン−１−イル）−３−ブテン−２−オンの商品名）、イソシクロシトラール、イソオイゲノール（isoeugenol）（２−メトキシ−４−（１−プロペニル）フェノールの商品名）、α−イソメチルイオノン、ケトン、リリアル（lilial）（パラ−第３級ブチルα−メチルヒドロ桂皮アルデヒドの商品名）、リナロール（linalool）（３−ヒドロキシ−３，７−ジメチル−１，６−オクタジエンの商品名）、ライラール（lyral）（４−（４−ヒドロキシ−４−メチル−ペンチル）３−シクロヘキセン−１−カルボキシアレデ−ヒド（carboxaledeh- yde）の商品名）、アントラニル酸メチル（methyl anthranilate）（メチル−２−アミノベンゾエートの商品名）、メチルジヒドロジャスモネート、炭酸メチルヘプチン、メチルイソブテニルテトラヒドロピラン、メチルβ−ナフチルケトン、メチルノニルケトン、β−ナフトールメチルエーテル、ネロール（nerol）（２−シス−３，７−ジメチル−２，６−オクタ−ジエン−１−オールの商品名）、パラ−アニスアルデヒド、パラ−ヒドロキシフェニルブタノン、フェニルアセトアルデヒド（phenyl acetaldehyde）（１−オキソ−２−フェニルエタンの商品名）、ガンマ−ウンデカラクトン、ウンデシレンアルデヒド、バニリン（vanillin）（４−ヒドロキシ−３−メトキシベンズアル−デヒド（methoxybenzald- ehyde）の商品名）、およびこれらの混合物から成る群より選択される。これらの物質は、永続性の香料成分に加えて、好ましくは低濃度で、典型的には本発明の全香料組成物の約２０重量％未満、好ましくは約１５重量％未満、より好ましくは約１０重量％未満で存在する。これらの物質は、全香料組成物の２０％より高くかつ１００％までの濃度で使用できることが分かる。永続性の香料成分が低い臭気検出閾を有する場合もある。
【００５７】
以下の非限定的な例は、永続性の香料組成物類を例示している：
香料成分  重量％、永続性香料Ａ：サリチル酸ベンジル  １０、クマリン  ５、エチルバニリン  ２、エチレンブラシレート  １０、ガラクソリド  １５、ヘキシル桂皮アルデヒド  ２０、ガンマメチルイオノン  １０、リリアル  １５、メチルジヒドロジャスモネート  ５、パチョリ  ５、トナリド  ３、合計１００；永続性香料Ｂ：バーチネックス（Vertinex）（４−第３級ブチルシクロヘキシルアセテート）  ３、メチルセドリロン  ２、バードックス  ３、ガラクソリド  １４、トナリド  ５、サリチル酸ヘキシル  ４、サリチル酸ベンジル  ４、ヘキシル桂皮アルデヒド  ６、Ｐ．Ｔ．ブシナール  ６、ムスクインダノン  ７、アンブレットリド  ２、サンデラ  ５、フェントリド  ２、酢酸ベチバート  ４、パチョリ  ２、フェニル酢酸ゲラニル  ６、オコウマール（Okoumal）  ６、酢酸シトロネリル  ３、シトロネロール  ５、フェニルエチルアルコール  ５、エチルバニリン  ２、クマリン  １、酢酸フロール  １、リナロール  ２、合計１００。
【００５８】
香料活性物質には、アセタールプロフレグランス類、ケタールプロフレグランス類、エステルプロフレグランス類（例えば、コハク酸ジゲラニル）、加水分解性無機−有機プロフレグランス類、およびこれらの混合物などのプロフレグランス類が包含されてもよい。これらのプロフレグランス類は、単なる加水分解の結果として香料物質を放出してもよく、あるいはｐＨ−変化−誘発型プロフレグランス類（例えば、ｐＨ低下）であってよく、または酵素学的に放出可能なプロフレグランス類であってもよい。
【００５９】
プロフレグランス類は、次の公報：米国特許第５，３７８，４６８号（サフィス（Suffis）ら、１９９５年１月３日発行）、米国特許第５，６２６，８５２号（サフィスら、１９９７年５月６日発行）、米国特許第５，７１０，１２２号（シヴィク（Sivik）ら、１９９８年１月２０日発行）、米国特許第５，７１６，９１８号（シヴィクら、１９９８年２月１０日発行）、米国特許第５，７２１，２０２号（ウェイト（Waite）ら、１９９８年２月２４日発行）、米国特許第５，７４４，４３５号（ハートマン（Hartman）ら、１９９８年４月２５日発行）、米国特許第５，７５６，８２７号（シヴィク、１９９８年５月２６日発行）、米国特許第５，８３０，８３５号（セバーンズ（Severns）ら、１９９８年１１月３日発行）、米国特許第５，９１９，７５２号（モアリ（Morelli）ら、１９９９年７月６日発行）、ＰＣＴ国際公開特許ＷＯ  ００／０２９８６（ブッシュ（Busch）ら、２０００年１月２０日公開）、及びＰＣＴ国際公開特許ＷＯ  ０１／０４２４８（ブッシュら、２００１年１月１８日公開）に好適に記載されており、これら公報をいずれも参照として本明細書に組み込む。
【００６０】
香料定着剤
所望により、香料活性物質または活性物質類の混合物を香料定着剤と組み合わせてよい。本明細書において用いられる香料定着剤物質類は、それらを本発明の実施に特に適合させる幾つかの評価基準で特徴付けられる。分散可能で、毒物学的に容認でき、皮膚刺激性がなく、香料に対して不活性で、分解可能であり、および／または再生可能資源から入手可能で、かつ比較的無臭性の定着剤類を使用する。香料定着剤類の使用は、香料のより揮発性の高い化合物類の蒸発を遅らせると考えられる。
【００６１】
好適な定着剤類の例には、フタル酸ジエチル、ムスク類、およびこれらの混合物から成る群より選択される構成員が挙げられる。使用する場合、香料定着剤は、香料の１０重量％〜約５０重量％、そして好ましくは約２０重量％〜約４０重量％を構成してよい。
【００６２】
香料キャリア物質類
香料は、早期喪失を回避するため、並びに強い製品香料臭を避けるために、キャリア中に含有またはカプセル封入されることが可能である。カプセル封入は、シクロデキストリンとの複合体内での包含、コアセルベート（coacevate）マイクロカプセル封入（この場合、香料液滴は、固体壁材料で包囲される）、および「セル状のマトリックス」カプセル封入（この場合、香料液滴を含有する固体粒子類はセル中で安定に保持される）などの分子カプセル封入の形状であり得る。加えて、香料類および他の有機布地ケア活性物質類は、多孔質キャリア材料類の表面上に吸収されるか、またはその孔の中に吸収されるか、あるいはデンプンもしくは糖マトリックスなどのマトリックス中に埋め込まれることができる。本明細書で使用するとき、「多孔性キャリア材料類」には、非晶質シリケート類、結晶性非層状シリケート類、層状シリケート類、炭酸カルシウム、炭酸カルシウム／ナトリウム複塩類、炭酸ナトリウム類、粘土類、ゼオライト類、方ソーダ石類、リン酸アルカリ金属塩類、マクロ孔質ゼオライト類、キチンマイクロビーズ類、カルボキシアルキルセルロース類、カルボキシアルキルデンプン類、発泡体類、多孔質デンプン類、化学変性デンプン類、およびこれらの混合物から成る群より選択される多孔質固体類が挙げられる。
【００６３】
好適な香料供給方法は、各方法の有効性、効率、および費用を考慮する。シクロデキストリン／香料複合体は、その有効性と加工容易性のために好ましい。複合体は、物理的な影響（例えば、製品の加工中、包装中、輸送中、および保管中の非破裂／香料損失、または拡散による香料損失）から、および化学的な影響（例えば、保管中の分解）から香料成分を保護しかつ維持する。
【００６４】
香料マイクロカプセル類、例えば、香料液滴が固体壁材料で包囲されたコアセルベート（coacevate）マイクロカプセル、または固体粒子がセル内に安定に保持された香料液滴を収容している「セル状の」マイクロカプセルは、６０〜８０％程度であり得るそれらの香料負荷のために好ましい。ただし、カプセル封入プロセスは、より労力を要する、また製品の加工中、包装中、輸送中、および保管中のマイクロカプセルの破壊に起因する香料漏れが生じやすい。
【００６５】
多孔質粒子類は、また、香りを保持して使用中にそれをゆっくりと放出するために使用することもできる。香料をデンプンもしくは糖マトリックスなどのマトリックス中に埋め込んだ未精製マトリックス粒子類は、安価でありかつ製造が容易である。香料負荷は中庸である。ただし、香りを放出するための活性化は、本明細書における前述のカプセル封入法よりも効率が悪い可能性がある。
【００６６】
ニュートラルな香りのベース組成物中で有用な様々な種類の試薬類を以降に説明する。粒状組成物類を含有する組成物類は、任意により、洗浄性能やきれいにすべき基材の処理を支援もしくは向上させるため、または洗剤組成物（例えば、着色剤類、染料類など）の審美性を改質するためのその他の洗剤補助剤物質類またはその他の物質類を１つ以上包含することができる。
【００６７】
香りがカスタマイズされた単位用量のランドリー製品を提供するためのキット
一実施形態では、本発明は、次の構成要素：ａ）ニュートラルな香りのベース組成物からの選択物；ｂ）香料組成物の分類からの選択物；ｃ）消費者が前記香料組成物を選択し、それを前記ニュートラルな香りのベース組成物に投与および分配することによって、洗濯作業で使用するための単位用量のカスタマイズされたランドリー製品を形成するための手段を含む、香りがカスタマイズされた単位用量のランドリー製品を提供するためのキットを目的とする。
【００６８】
「香りがカスタマイズされた単位用量のランドリー製品」とは、本明細書では、１回の洗濯作業に推奨される／望まれる香りの付いたランドリー製品の量であって、かつ追求される利点を達成するのに十分な前記量を表す。
【００６９】
前記ニュートラルな香りの組成物をニュートラルな香りのベース洗剤組成物から選択する場合、推奨される香りの付いたランドリー製品の量は、典型的に、５ｍＬ〜３００ｍＬまで、好ましくは１０〜１００まで、より好ましくは２０〜７０まで、最も好ましくは３０〜６０までを構成する。
【００７０】
前記ニュートラルな香りの組成物をニュートラルな香りの布地コンディショニング組成物であるように選択する場合、推奨される香りの付いたランドリー製品の量は、典型的に、２ｍＬ〜３００ｍＬまで、好ましくは１０〜１００まで、より好ましくは２０〜８０まで、最も好ましくは３０〜５０までを構成する。
【００７１】
本発明によれば、消費者が香料組成物類を選択して、それをニュートラルな香りのベース組成物に投与および分配するための前記手段は、点滴器類、スプレー類、ボウル類、カップ類、キャップ類、ディスク類、注ぎ口、スプレーノズル、ポンプ、洗濯機ディスペンサー類、分配装置類、またはこれらの組み合わせを含む。好ましくは、前記手段は、所定量の香料を供給するように較正される。あるいは、前記手段は、一回用量の香料を有するビーズ類、袋類、フレーク類、小片類、フィルム類、座薬類を含む。
【００７２】
本発明による好ましいキット類は、ニュートラルな香りのベース組成物と香料組成物を投与および／または分配するための手段が類似した形または全く同じ形のものである。本明細書で使用するための好適な手段は、箱類、ボトル類、パウチ類、エンベロープ類、缶類、管類、アトマイザ類、噴霧器類、ビーズ類、フレーク類、袋類、およびこれらの混合物から成る群より選択されてよい。
【００７３】
本発明による好ましいキットは、ニュートラルな香りのベース組成物が、ニュートラルな香りのベース洗剤組成物および／またはニュートラルな香りの布地コンディショニング組成物から選択されるものである。
【００７４】
香りがカスタマイズされた単位用量のランドリー製品を提供するための特に好ましいキットは、ニュートラルな香りのベース組成物および香料組成物が液体であり、ニュートラルな香りのベース組成物がボトルに入っており、並びに液体香料組成物を選択し、それを投与および分配するための手段が、一連の香料点滴器類として提供され、キットが、香料をニュートラルな香りのベース組成物に分配するために前記ボトルの上部に取り付ける、例えばボウルなどの、分配装置を更に収容することを特徴とする。本実施形態の更により好ましい手法によれば、キットは、いずれも液状でかついずれも別個のボトルに入ったニュートラルな香りのベース洗濯洗剤組成物およびニュートラルな香りのベース布地コンディショニング組成物を含み、そして前記分配装置が、香料をニュートラルな香りのベース組成物のいずれか一方または両方に分配するためにいずれかの前記ボトルの上部に取り付けられていることを特徴とする。
【００７５】
ランドリー組成物類を機械洗濯作業の１つ以上の段階に分配できる装置類は、米国特許第４，１８６，５７３号、およびＰＣＴ国際公開特許ＷＯ  ０１／２５５２６に開示されている。ランドリー添加物物質類を機械布地洗濯作業に段階的にまたは遅延して分配するために使用できるパウチまたは容器の形態の製品類は、米国特許第４，０２６，１３１号；米国特許第４，２６０，０５４号；および米国特許第４，５８８，０８０号；並びにカナダ国特許第１，１３３，７１２号に開示されている。洗濯作業中の段階的または時限式分配のために分配装置と予め包装された量のランドリー添加物物質とを必要とする設備類は、米国特許第４，３７９，５１５号および米国特許第４，８８２，９１７号並びにＰＣＴ国際公開特許ＷＯ  ０１／０７７０３およびＰＣＴ国際公開特許ＷＯ  ０１／０７７０に開示されている。分配装置類は、家庭の洗濯プロセスでは平凡なものであった。典型的に、分配装置類は、洗剤製品類と共に、これら製品類の製造者によって配布される。消費者は、分配装置を用いた場合、通常は洗濯機の上部付近に配置された引出しを用いてランドリー製品類を分配する一層伝統的な方法に比べて、改善された洗浄性能という利益を得る。これは、いわゆる「洗浄中心（heart-of-the-wash）」の効果が洗濯機の排水溜めで失われる製品をより少なくし、そしてその結果、より多くの製品が洗浄液に迅速に溶解することにより、洗浄性能の促進を可能にするためである。更に、消費者は、引出し型の分配方法と比べて、改善された簡便性と少ない手間によって利益を得る。
【００７６】
香りがカスタマイズされた単位用量のランドリー製品を提供するための別の特に好ましいキットは、ニュートラルな香りのベース組成物および香料組成物が液体であり、前記ニュートラルな香りのベース組成物がボトルに入っており、そして液体の香料組成物を選択、投与および分配するための手段が一連の香料ディスク類として提供され、前記ボトルが、前記香料ディスク類と接続するために前記ボトルの上部に一体成形された投与室を更に具備することを特徴とする。本実施形態の更により好ましい手法によれば、キットは、いずれも液体でかついずれもボトルの上部に一体成形された投与室を備えた別個のボトルに入ったニュートラルな香りのベース洗濯洗剤組成物およびニュートラルな香りのベース布地コンディショニング組成物を含むことを特徴とする。
【００７７】
本発明による更に別の好ましいキットは、ニュートラルな香りのベース組成物がビーズの中に入っており、そして香料組成物を選択、投与および分配するための手段が一連のビーズとして提供されることを特徴とする。
【００７８】
典型的に、キットは、好ましくは、前記ニュートラルな香りのベース組成物が、ＣｌｏｇＰが２．５未満の構成成分を少なくとも約５０％有する非残留香料を約０．０１％〜約１０％含むことを特徴とし（ここで、ＣｌｏｇＰは、底１０に対する対数（ｌｏｇＰ）として表される、オクタノール／水分配係数（Ｐ）の計算値である）、更に前記香料組成物が、ＣｌｏｇＰが２．７よりも大きい構成成分を少なくとも５０％有する香料を約０．０１％〜約１０％含むことを特徴とする（ここで、ＣｌｏｇＰは、底１０に対する対数（ｌｏｇＰ）として表される、オクタノール／水分配係数（Ｐ）の計算値である）。
【００７９】
本発明によれば、本発明のキットは、ユーザーに１つ以上の香料組成物類を選択および／または組み合わせて所望の利益を達成するように指示する一連の説明書を含む。例えば、キットは、本発明の自宅でのスポーツ用品の洗濯洗浄のために組み合わせて使用するのに有用であり得る特定の香りを有する香料組成物ベースを含んでよい。
【００８０】
好ましくは、キットは、消費者が洗濯洗浄液に加える前に香料組成物類をニュートラルな香りのベース組成物類に混入するための説明書を含む。
【００８１】
具体的な説明書は、香料組成物とニュートラルな香りのベース組成物を、前記香料組成物と前記ベース組成物との重量比が約１：５〜約１：１００まで、約１：１０〜約１：７５までの範囲であるような量で混合するための説明書である。
【００８２】
好ましくは、説明書は、ニュートラルな香りのベース組成物を用いたカスタマイズに言及し、それによって、香料組成物をベース組成物と組み合わせて、本発明による方法をカスタマイズする。説明書は、様々な種類の布地、様々な種類の染み、対応する添加物類、並びに香料、洗浄性能および／または柔軟化性能に関して所望の利益を増強または達成するために推奨される有効量（これは１以上の投与量単位で表されてよい）の特定の組成物類を強化又は達成してよい。
【００８３】
説明書はまた、本発明の方法の所望の利益を強化又は達成するために、洗濯プロセスの前に洗濯物の布地に適用されるべき前処理組成物、装置内での洗濯プロセス中に適用されるべき前記前処理組成物を選択するようにユーザーを導いてもよい。説明書はまた、洗濯機への添加、洗浄およびすすぎ工程への選択的添加、並びに洗浄およびすすぎ洗浄プロセスへの異なる香料選択肢の挿入（layering）にも関連し得る。
【００８４】
香料組成物類を選択してニュートラルな香りのベース組成物へ投与するための一連の使用説明書は、キット内、並びに／またはパンフレット、コンピュータスクリーン、印刷された切符、キオスク、看板、製品容器、広告、製品の展示、インターネットのウェブサイト、ビデオ、およびこれらの組み合わせなどの場所に提供されてよく、好ましくは、一連の使用説明書は、容器、製品の展示、またはこれらの組み合わせに、これらの場所が参照され易いように提供される。より好ましくは、一連の使用説明書は、こうすることで一連の使用説明書が必要なときに無くなっているおよび／または香料組成物から切り離される恐れがないように、香料の容器上に提供されている。好ましくは、一連の使用説明書は、典型的に、洗濯洗剤組成物を香料組成物と共に使用する推奨を包含する。好ましい実施形態では、一連の選択説明書はまた、洗濯洗剤組成物、布地コンディショニング組成物、および／または香料組成物への言及も含有する。より好ましくは、この言及は、キット内での複数の製品の実際の名前である。理論に束縛されるものではないが、このような言及は、消費者の混乱や、不適合成分間の望ましくない交差反応および相互作用をかなり低減する場合があると考えられる。
【００８５】
本発明によるキットは、布地を洗濯洗浄するために全洗濯プロセスの様々な段階で組み合わせて使用するのに有用であり得る特定の香りを有する１つ以上の香料組成物を含んでよく、すなわち、特定の香りを洗浄サイクル中に添加することができ、また別の香りをすすぎサイクルにおいて添加することができる。異なるまたは類似した香りを、洗濯プロセスの様々な段階で組み合わせてもよい。
【００８６】
本発明の香料組成物は、また、容器類で包装されても、ビーズ類、フレーク類、小片類、ペレット類、フィルム類、座薬類、および／または袋類の形態などの一回用量の包みの中に包装されても、あるいは多数回投与ディスペンサー類の中に包装されてもよい。
【００８７】
加えて、香料組成物用の容器は、ランドリー製品類と連結する様式で設計されてよい。このような容器の例は、米国特許第４８８４７０４号に記載されている。この容器は、その外観が装飾用の布地包装材によって変わるボトルを使用する。
【００８８】
ニュートラルな香りのベース組成物を入れる手段は、箱、ボトル、パウチ、エンベロープ、缶、管、アトマイザ、噴霧器、ビーズ類、フレーク類などの容器であってよく、袋類は分配手段であることが可能である（can or be）。
【００８９】
容器は、更に、スコップ、計量カップ、注ぎ口などのような投与装置および／またはアプリケータ装置を具備してもよい。固体および顆粒のニュートラルな香りのベース組成物類は、典型的に、箱、またはフィルムパウチボトルの中、好ましくは厚紙箱またはプラスチック製の箱の中、そしてより好ましくは、ラミネート加工した厚紙箱の中、またはプラスチック製の箱の中に提供される。理論に束縛されるものではないが、ラミネート加工した厚紙箱および／またはプラスチック製の箱は、これらの箱の再生処理が容易にできる場合があり、そして防水シール、耐湿性、開け閉め可能などの所望の特性を提供するように調節することもできるので、特に有利であり得ると考えられる。液体およびゲル状の無香性ベース組成物は、好ましくはプラスチック製のボトルの中、より好ましくはポリエチレンおよび／もしくはポリプロピレン製のボトルなどの再生可能なプラスチック製のボトル、並びに／またはラミネート加工したフィルムパウチの中に提供される。
【００９０】
香料類を選択、投与および分配するための手段は、香料自体の物理的形状の形のディスペンサーであることができ、すなわち、固体香料類を投与および混合するための好ましい様式はビーズ類である。液体香料組成物を投与および分配するための好ましい様式は、液滴類、ビーズ類、またはスプレー類である。これによって、香料組成物を迅速に投与および混合することができ、そして本発明の利益を付与する優れた手段を提供する。本発明の香料ビーズと香料スプレー類および／または液滴類はいずれも、所定量を送達するように較正された香料ビーズ類またはスプレーボトル類または点滴ボトル類から選択することができる。香料ビーズまたはパウチ類を使用する場合、前記ビーズまたはパウチ類の製造において水溶性材料を使用することが好ましい。本明細書での使用に好適な水溶性材料は、一回用量を処方する当業者には自明であろう。このような好適な材料の例としては、これらに限定されないが、硬ゼラチン、軟ゼラチン、ポリビニルアルコール、ヒドロキシプロピルメチルセルロース、ポリビニルピロリジン、糖、糖誘導体類、デンプン、デンプン誘導体類、ゼオライト類、発泡性物質類、およびこれらの混合物が挙げられる。好ましくは、前記ビーズを製造するための水溶性材料は、ポリビニルアルコールを含む。好ましい手法では、水溶性材料は、好ましくは米国インディアナ（Indiana）のモノ−ソル（Mono-Sol）から商標名Ｍ８６３０（登録商標）として供給される、ポリビニルアルコール／カルボキシレートコポリマー樹脂を含む。
【００９１】
代替の実施形態では、前記ビーズ類またはパウチ類を製造するための材料は、ユーザーが前記ビーズ類またはパウチ類を容易に破壊するかもしくは引き裂くことよって、前記香料組成物を簡便な方法でニュートラルな香りのベース組成物中に分配できるように、好ましくは軟質の材料である。本明細書で使用するのに好適な材料は、一回用量を処方する当業者には自明であろう。ただし、本明細書で使用するための材料は、対応する組成物類を収納するのに十分に耐性を有するべきである。ユーザーがパウチ類を容易に引き裂いて、中に入っている組成物類を分配することができるように、脆弱線を有するビーズ類またはパウチ類が好ましくは提供される。
【００９２】
香料組成物は、ニュートラルな香りのベース組成物中に投与される。香料組成物を挿入して（layered）、主要な洗浄および／またはすすぎにおいて異なる香料添加物を混合することも可能である。
【００９３】
本発明の香料組成物の好ましい様式は、また、容器類、一回用量の包み類、または多数回投与ディスペンサー類の中に包装されてもよい。
【００９４】
本発明のキット内で使用するのに極めて好ましい分配手段は、点滴器類、スプレー類、ボウル類、カップ類、キャップ類、ノズル、出口、ディスク類、洗濯機ディスペンサー類、分配装置類、またはこれらの組み合わせを含む。
【００９５】
香料組成物の分配手段は、ベース組成物類を収納する手段と結合されていてよいか、またはその一部であってよいと理解すべきである。例えば、収納手段は、ボトル、アトマイザ、または噴霧器缶であってよく、そして投与手段は、アトマイザもしくは噴霧器缶のキャップ、ボウル、ノズル、または出口であってよい。
【００９６】
ベース組成物（類）は、香りがカスタマイズされたランドリーキットとして使用するために別個の容器または一体化型容器の中に包装することができる。例えば、スクイーズ可能な容器からベース組成物を放出すると、垂直落下が起こることによって香料組成物と容易に混合できることが経験から分かる。香料組成物の投与手段は、ベース組成物類を収納する手段と結合されていてよいか、またはその一部であってよいと理解すべきである。これらの投与手段は、混合手段として同様に使用できる。例えば、香料組成物を１つ以上の無香性ベース組成物と混合するための混合溶媒として投与および供給するために、別個のボウルを使用することができる。
【００９７】
好ましくは、本明細書において有用な容器類は、類似のデザイン、形、色（単色または複数色）、構造材料、および／または本明細書中の複数の製品がキットの一部であることを消費者に強調する機能特徴を有する。例えば、類似したまたは全く同じキャップ、ボトルの形状、アプリケータ／注ぎ口、投与装置類など。
【００９８】
本発明の代替の実施形態では、本発明のキット内の容器類は、それらが無駄な空間を減らし、そしてそれらを一緒に用いてより優れた結果をもたらすことを更に示すように物理的に互いに適合する点で相関している。例えば、本明細書中の複数の製品のための容器類は、それらの積み重ね、結合、整理などが容易に行えるように考慮して、設計され、サイズ決定され、および／またはキットと共に製造されてよい。従って、これら容器類は、無駄な空間を最小限にして、物理的に互いに適合することが好ましい。これにより、所定の体積の空間内に配置すべきキットの数を更に増やすことができ、そしてそれによって製造者、配給者、販売者、および／または消費者が必要とする単位当たりの保管スペース、陳列棚のスペース等を減少させる。このことは、例えば、コンビニエンス店の陳列棚または消費者の保管スペースのように、空間が高価または貴重である場所では特に好ましい。
【００９９】
本発明の好ましい実施形態は、ニュートラルな香りのベース洗剤組成物を無香性のベース布地コンディショニング組成物と組み合わせて包含する。柔軟仕上げ剤を、特に好ましいカチオン性柔軟仕上げ剤（すなわち、第４級アンモニウム化合物類）をアニオン性ベース洗剤組成物類と組み合わせて布地コンディショニング組成物類中に組み込むことは、カチオン性柔軟仕上げ剤／アニオン性洗剤混合物類に以前関連していた安定性問題を伴わずに有効な柔軟化特性を付与する高性能の方法であることが分かった。
【０１００】
本発明の前記説明により、その精神から逸脱することなく本発明に変更をなし得ることが当業者には明白である。それ故に、本発明の範囲は、例示及び説明した具体的な実施形態に限定されるものではない。
【０１０１】
本発明のベース組成物類および香料組成物類は、プロまたは個人のいずれかの消費者によって使える状態のキットまたは包装形態で別個に提供されてランドリー製品を形成してよい。洗濯プロセスにおいて後で使用するために、組成物を混合器内で混合することが好ましい。混合器は、容器の一体型部品を形成する投与室のように容器の一部であっても、別個のボウル、または分配装置であってもよい。
【０１０２】
本発明により提供されるキットは、これら容器類を含む。最も便利な形では、３つの容器があり、そのうちの２つにはベース組成物類を入れ、残りには香料組成物を入れる。特に、液体ベース組成物類と液体香料組成物を使用する場合、ベース組成物類を別々の容器類に包装し、そのうちの一方に洗剤組成物を、他方に布地コンディショニング組成物を一緒に包装することが便利な場合がある。本発明のいずれの実施形態によっても、第１および第２容器の組成物中の成分は、香料組成物と混合すると洗浄（the wash）へのより優れた香料供給を提供する、香料性能増強剤を包含する。
【０１０３】
本発明は、更に、本発明による洗濯作業方法を実施するのに有用なキット類も提供する。本発明のキット類は、前述のニュートラルな香りのベース組成物類と香料組成物類を入れる第１容器手段類を含む。キットはまた、本発明を実施するのに必要なまたは便利な溶液を入れる別の容器手段も含む。キットはまた、本発明の実施手順または第１容器手段に入れた組成物の量などの分析情報のような、書面情報を具備してもよい。
【０１０４】
本発明によるキット類はまた、典型的に、前記容器手段と、選択、投与および分配手段とを包装するための手段も包含する。このような包装手段は、厚紙箱または紙製の箱、プラスチック製または箔製のパウチなどの形状を成してよい。本発明のキット類はまた、通常は、香料組成物を選択し、それをベース組成物類に投与し、それらを混合および分配する仕方を説明する取扱説明書をも包含する。取扱説明書は、容器手段、投与手段、または包装手段のいずれかの上に付いていてもよく、更には、別個の紙に書かれていてもよいと解されるべきである。
【０１０５】
本発明の方法の好ましい実施形態は、液体組成物としての香料組成物類を特徴とする。液体香料組成物は、ニュートラルな香りのベース組成物類に、洗濯物の布地に、または洗浄液に、液滴類、スプレー類もしくはビーズ類として投与および混合することが可能である。これにより、香料組成物類を迅速に投与および／または混合して、本発明の利益を達成するための優れた手段をもたらすことができる。本発明のスプレー類および／または液滴類および／またはビーズ類は、所定量を供給するように較正された標準的なスプレーボトル類または点滴ボトル類から選択することができる。
【０１０６】
本発明による好ましいキットは、ニュートラルな香りのベース組成物が液状であり、そして香料組成物が液状であり、それによってベースの香りの付いた液体組成物の粘度が香料組成物の粘度よりも高いものである。
【０１０７】
好ましいキットは、前記香料組成物がニュートン流体形状でありかつ１〜約１，２００ｍＰａ・ｓ以下までの粘度を有するものである。
【０１０８】
仕様：２０℃での香料溶媒物質類における粘度（ｍＰａ・ｓ）：
水：１
プロパンジオール：１００
グリセリン（９９％）：１１５０
これら物質類はニュートン流体であるため、スピンドルは必要なかった。
【０１０９】
仕様：ニュートラルな香りのベース組成物における粘度−注釈：ニュートラルな香りのベース組成物は、ニュートン流体であり得るか、またはずり増粘であり得る。
【０１１０】
本明細書による好ましいキットは、ベースのニュートラルな香りの組成物類と香料組成物類が、好ましくは注入可能な液体や注入可能なゲル〜注入不可能なゲルまでの範囲の物理形態を有する液体組成物類であるものである。これらの形態は、便宜上、製品の粘度で特徴付けられる。本明細書全体を通じて、これらの定義において及び特にそうでないと指示されない限り、示された粘度は全てせん断速度２１秒−１及び温度２５℃で測定されたものである。
【０１１１】
本発明のいかなる態様による液体組成物類も、好ましくは１，５００ｍＰａ・ｓ以下、より好ましくは１，０００ｍＰａ・ｓ以下、更により好ましくは５００ｍＰａ・ｓ以下の粘度を有する。
【０１１２】
本発明のあらゆる態様による組成物類は、注入可能なゲルであって、好ましくは少なくとも１，５００ｍＰａ・ｓであって、ただし６，０００ｍＰａ・ｓ以下、より好ましくは４，０００ｍＰａ・ｓ以下、更により好ましくは３，０００ｍＰａ・ｓ以下、そして特に２，０００ｍＰａ・ｓ以下の粘度を有する。
【０１１３】
本発明の任意の態様による組成物類は、注入不可能なゲルであって、好ましくは少なくとも６，０００ｍＰａ・ｓであって、ただし１２，０００ｍＰａ・ｓ以下、より好ましくは１０，０００ｍＰａ・ｓ以下、更により好ましくは８，０００ｍＰａ・ｓ以下、そして特に７，０００ｍＰａ・ｓ以下の粘度を有する。
【０１１４】
ベースのニュートラルな香りの組成物類としては、米国特許第２４０５８８３４Ａ１号に記載のスナップバックゲル類を挙げることもできる。
【０１１５】
本発明の他の好ましいキットは、テルペン類、ケトン類、アルデヒド類、およびこれらの混合物などの酵素反応性香料類を含む香料組成物類と組み合わせて、酵素を含むニュートラルな香りのベース組成物類を有するものである。米国特許出願公開２００５／０１３０８６４には例が記載されている。
【０１１６】
本発明の別の実施形態では、一連の説明書は、所望の利点を達成するために１つ以上のニュートラルな香りのベース組成物を選択するおよび／または組み合わせるようにユーザーに指示している。例えば、ベース組成物は、本発明の家庭での洗濯洗浄に有用な、汎用のニュートラルな香りの洗浄組成物である。カスタマイズでは、ベースのニュートラルな香りの洗剤組成物を香料組成物と組み合わせて、本発明による方法を単位用量にカスタマイズしてよい。類似の取り組みは、ニュートラルな香りの液体柔軟仕上げ剤を用いて可能である。説明書には、様々な種類の布地類、染み類、対応する添加物類、並びに香料や、洗浄性能および柔軟化性能の点で所望の利点を強化または達成するために推奨される有効量（これは１つ以上の投与量単位で提示されてもよい）の特定の組成物類が包含されてよい。本発明の方法のニュートラルな香りのベース組成物類、および香料組成物は、容器類、１回用量の包み類、または多数回投与ディスペンサー類の中に包装されてよい。ディスペンサーは、注ぎ口、ポンプ、スプレーノズルなどの分配手段と、精密カップ、目盛り付きカップ、又は刻み入りカップ、点滴器、注射器などの、正確な投与のための測定手段とを含んでよい。分配手段はまた、測定手段として役立つために精密、目盛り付き、又は刻み入りであることができる。説明書は、本発明の方法の所望の利益を強化又は達成するために、洗濯プロセスの前に洗濯物の布地に適用すべき前処理組成物、装置内での洗濯プロセス中に適用すべきである前処理組成物を選択するようにユーザーに指示してもよい。
【０１１７】
一連の使用説明書は、キット内に提供されても、並びに／またはパンフレット、コンピュータスクリーン、印刷された切符、キオスク、看板、製品容器、広告、製品の展示、インターネットのウェブサイト、ビデオ、およびこれらの組み合わせなどの場所に提供されてもよく、好ましくは、一連の使用説明書は、製品の容器、製品の展示、またはこれらの組み合わせに、これらの場所が参照され易いため提供される。より好ましくは、一連の使用説明書は、こうすることで一連の使用説明書が必要なときに無くなっているおよび／または関連する組成物から切り離される恐れがないため、キット内および／または複数の製品用の容器に提供される。一連の使用説明書は、典型的に、洗濯洗剤組成物を布地コンディショニング組成物および香料組成物と共に使用する推奨を包含する。好ましい実施形態では、一連の洗濯説明書はまた、ランドリー製品組成物、洗濯洗剤組成物、布地コンディショニング組成物、および／または香料組成物への言及も含有する。より好ましくは、この言及は、キット内での複数の製品の実際の名前である。理論に束縛されるものではないが、このような言及は、消費者の混乱や、不適合成分間の望ましくない交差反応および相互作用をかなり低減する場合があると考えられる。
【０１１８】
加えて、香料組成物用の容器は、ランドリー製品類と連結する様式で設計されてよい。このような容器の例は、米国特許第４８８４７０４号に記載されている。この容器は、その外観が装飾用の布地包装材によって変わるボトルを使用する。
【０１１９】
上記推奨のいずれかに加えて、一連の使用説明書はまた、典型的に、複数の製品をそれぞれ布地物品に（例えば、洗濯洗剤組成物を、洗浄サイクルの開始前に自動洗濯機に加えることによって間接的に）適用する仕方を推奨する、一般的な説明書も包含する。
【０１２０】
洗濯作業方法
別の実施形態では、本発明は、次の工程：ａ）ニュートラルな香りのベース組成物を選択する工程；ｂ）香料組成物を選択する工程；ｃ）前記香料組成物をニュートラルな香りのベース組成物に投与および分配することによって、単位用量のカスタマイズされたランドリー製品を形成する工程；ｄ）工程ｃ）で形成された、単位用量のカスタマイズされたランドリー製品を洗濯洗浄液に分配する工程を含む、洗濯作業方法を提供する。
【０１２１】
本発明による方法は、ユーザーの個別の需要に応じて香料組成物類を選択および投与することによって、香りの付いたランドリー組成物類をカスタマイズすることができる。本発明による方法を実施すると同時に、ユーザーは、特定の洗濯物を洗浄するのに最も好適なユーザーの香りがカスタマイズされたランドリー製品類を処方することができる。従って、消費者には、１回の洗濯作業と関連して用いるべき、香りがカスタマイズされたランドリー製品の使える状態にある単位用量を処方してカスタマイズするための柔軟性が与えられる。
【０１２２】
好ましくは、本発明の方法で使用されるニュートラルな香りのベース組成物は、ニュートラルな香りのベース洗剤組成物および／またはニュートラルな香りの布地コンディショニング組成物から選択される。
【０１２３】
好ましい実施形態によれば、香料組成物の投与および分配は、点滴器類、スプレー類、ボウル類、カップ類、キャップ類、ノズル、出口、ディスク類、洗濯機ディスペンサー類、分配装置類、またはこれらの組み合わせから成る群より選択される手段を用いて作業される。好ましくは、本発明の方法で使用される手段は、所定量の前記香料組成物を供給するように較正される。より好ましくは、前記手段は、前記香料組成物の単位用量を有するビーズ類、袋類、亜麻類、およびディスク類を含む。
【０１２４】
本発明による好ましい方法では、前記ニュートラルな香りのベース組成物および前記香料組成物を投与および／または分配するための手段は、類似した形または全く同じ形である。本発明のこの好ましい実施形態によれば、前記手段は、好ましくは、箱類、ボトル類、パウチ類、エンベロープ類、缶類、管類、アトマイザ類、噴霧器類、ビーズ類、フレーク類、袋類、およびこれらの混合物から成る群より選択される。
【０１２５】
本発明の別の好ましい方法によれば、前記香料組成物は、洗濯機ディスペンサーを介しておよび／または分配装置類を介してニュートラルな香りのベース組成物に分配される。従って、本発明による方法を実行するときに形成される、単位用量のカスタマイズされたランドリー製品は、好ましくは、洗濯機ディスペンサーを介しておよび／または分配装置類を介して洗濯洗浄液に分配される。
【０１２６】
典型的に、本発明による方法は、好ましくは、洗濯洗浄液に加える前に香料組成物を前記ベース組成物と混合することを特徴とする。より好ましくは、前記香料組成物を前記ベース組成物と、香料組成物とベース組成物との重量比が約１：５〜約１：１００まで、好ましくは約１：１０〜約１：７５までの範囲であるような量で混合する。
【０１２７】
本発明による特に好ましい洗濯作業方法は、前記ニュートラルな香りのベース組成物と前記香料組成物が液体であり、前記ニュートラルな香りのベース組成物がボトルに入っており、そして前記香料組成物の投与および分配手段が、前記香料組成物を前記ニュートラルな香りのベース組成物に分配するために前記ボトルの上部に取り付ける一連の香料点滴器と分配装置を含む、方法である。
【０１２８】
本発明による別の特に好ましい洗濯作業方法は、前記ニュートラルな香りのベース組成物と前記香料組成物が液体であり、前記ニュートラルな香りのベース組成物がボトルに入っており、そして前記香料組成物の投与および分配手段が、一連の香料ディスクとして提供され、前記ボトルが、前記香料ディスクと連結するために前記ボトルの上部に一体成形された投与室を更に含む、方法である。
【０１２９】
本発明による更に別の好ましい方法は、ニュートラルな香りのベース組成物がビーズの中に入っており、そして香料組成物を選択、投与および分配するための手段が一連のビーズ類として提供されることを特徴とする。
【０１３０】
本発明の好ましい実施形態は、ニュートラルな香りのベース組成物が、ＣｌｏｇＰが２．５未満の構成成分の少なくとも５０％を有する非残留香料を０．０１％〜１０％まで含み、ここでＣｌｏｇＰは、底１０に対する対数（ｌｏｇＰ）として表される、オクタノール／水分配係数（Ｐ）の計算値であり、そして前記香料組成物が、ＣｌｏｇＰが２．７超の構成成分の少なくとも５０％を有する香料を０．０１％〜１０％まで含み、ここでＣｌｏｇＰは、底１０に対する対数（ｌｏｇＰ）として表されるオクタノール／水分配係数（Ｐ）の計算値である、洗濯作業方法を更に包含する。
【０１３１】
本発明の別の好ましい手法では、本発明の方法は、香料組成物が、香料、またはＣｌｏｇＰが２．７以上、好ましくは２．９以上、より好ましくは３．０以上の香料成分を、香料組成物の少なくとも２５重量％、より好ましくは少なくとも５０重量％、そして更により好ましくは少なくとも７５重量％含む香料成分の混合物であることを特徴とする。
【０１３２】
本発明による一つの好ましい洗濯作業方法は、前記ニュートラルな香りのベース組成物と前記香料組成物が液状であり、そして前記液体の香りの付いたベース組成物の粘度が、前記香料組成物の粘度よりも大きい、方法である。前記ニュートラルな香りのベース組成物と香料組成物が液状である本発明の方法の代替の好ましい手法によれば、ベース組成物は酵素を含み、そして香料組成物が、テルペン類、ケトン類、アルデヒド類、およびこれらの混合物などの酵素反応性香料を含む。
【０１３３】
アセンブリ
本発明の別の実施形態によれば、香料組成物、好ましくは複数の香料組成物類を含むアセンブリであって、前記アセンブリは、消費者に１つ以上の前記香料組成物類を選択し、および／またはそれをニュートラルな香りのベース組成物中に投与および／または分配することによって、洗濯作業で使用するための単位用量のカスタマイズされたランドリー製品を形成する仕方を指示する手段を更に含む、前記アセンブリが提供される。好ましくは、香料組成物は、約０．２ｍＬ〜約１ｍＬの香料を洗濯機ディスペンサーに約２Ｌ／分〜約５Ｌ／分の水圧で３分以内に放出する。
【０１３４】
好ましくは、本発明によるアセンブリは、１つ以上の香料組成物類を選択し、および／またはそれらをニュートラルな香りのベース組成物と組み合わせるようにユーザーに指示する一連の説明書を含む。本発明の代替の手法において、アセンブリは、１つ以上の香料組成物類を選択および／または組み合わせて所望の利益を達成するようにユーザーに指示する一連の説明書を含む。
【０１３５】
本発明による更に別の好ましいアセンブリは、ニュートラルな香りのベース組成物を、ニュートラルな香りのベース洗剤組成物および／またはニュートラルな香りの布地コンディショニング組成物から選択することを特徴とする。
【０１３６】
製品
本発明の更に別の実施形態によれば、製品であって、前記製品が、消費者が前記香料組成物を選択し、前記香料組成物をニュートラルな香りのベース組成物に投与および分配することによって、洗濯作業で使用するための単位用量のカスタマイズされたランドリー製品を形成する手段を更に含む、前記製品が提供される。好ましくは、前記香料組成物を選択し、投与して、最後には洗濯機ディスペンサーを介して洗濯洗浄液に分配する。
【０１３７】
本発明の好ましい手法では、前記手段は、単位用量の香料を有するビーズ類、袋類、亜麻類、およびディスク類を含む。
【０１３８】
香料組成物は、ニュートラルな香りのベース組成物中に分配され、そして最後に洗濯機内の洗濯洗浄液へ、好ましくは洗濯機ディスペンサーを介しておよび／または分配装置を介して分配される。香料を分配する好ましい様式は、香料自体の物理的形状の形のディスペンサー類であることができ、それによってビーズ自体が分配手段として役立つ。香料組成物の極めて好ましい分配様式は、液滴類、ビーズ類、またはスプレー類である。これによって、香料組成物類が迅速に投与されることができ、そして本発明の利益をもたらす優れた手段が提供される。本発明の香料ビーズ類と香料スプレー類および／または液滴類はいずれも、所定量を供給するかまたは単位用量として存在するように較正された標準的な香料ビーズ類またはスプレーボトル類もしくは点滴ボトル類から選択することができる。
【０１３９】
本発明の実施例を例示として以下に記載するが、これら実施例は、本発明をいかなる方法においても限定するものではない。
【０１４０】
実施例１
本発明によるキットには、布地物品に使用するために３つの別個の容器に提供された、透明なニュートラルな香りのベース液体洗濯洗剤組成物、乳白色のニュートラルな香りのベース液体布地コンディショニング組成物、および液体香料組成物が包含される。３つの容器は全て、本発明のキットを形成するために、更に厚紙箱に包まれる。
【０１４１】
透明なニュートラルな香りのベース液体洗濯洗剤組成物と乳白色の香りの付いたベース液体布地コンディショニング組成物用の容器は、透明なＰＥＴボトルから作製されたボトルである。液体香料組成物は、様々な香料点滴器類として提供される。キットは、また、香りを液体へ分配するためにボトルの上部に取り付ける投与ボウルも具備する。この実施例では、投与ボウルは、分配装置としても役立つ。
【０１４２】
キットには、ニュートラルな香りのベース布地コンディショニング組成物、無香性ベース洗濯洗剤組成物、および香料組成物に具体的に言及する一連の使用説明書が包含される。
【０１４３】
説明書の例を以降に記載する：
【表１】
2009506819.tif 000002
【表２】
2009506819.tif 000003
【０１４４】
以下の表には、洗剤、液体柔軟仕上げ剤、および香料処方の組成を記載する。
【表３】
2009506819.tif 000004
【表４】
2009506819.tif 000005
香料添加物の例
【表５】
2009506819.tif 000006
【０１４５】
一連の洗濯説明書は、また、最良の結果は、消費者が洗濯洗剤組成物を布地コンディショニング組成物および香料組成物と組み合わせて使用するときに達成されると指示していた。布地コンディショニング組成物は、ニュートラルな香りのベース洗濯洗剤組成物と香料組成物の両方を名前で言及する類似の一連の説明書を有する。香料組成物は、ニュートラルな香りのベース洗濯洗剤組成物とニュートラルな香りのベース布地コンディショニング組成物の両方を名前で言及し、そしてまた、香料組成物を洗濯洗剤組成物および布地コンディショニング組成物と組み合わせて使用するための、布地処理についての推奨値も有する一連の布地処理説明書を有している。布地処理についての推奨値には、続けて使用するために洗濯サイクル前とコンディショニングサイクル前に香料組成物を使用することによって最良の結果が達成される、投与および混合する洗濯前の推奨値とコンディショニング前の推奨値が含有される。次の写真によって製品の組み合わせを視覚化した。
【表６】
2009506819.tif 000007
【０１４６】
香料組成物の容器、ニュートラルな香りのベース洗濯洗剤組成物の容器、およびニュートラルな香りのベース布地コンディショニング組成物の容器は、同じプラスチック材料から作製された類似した構造と、類似した図形と、類似した形を有する；ただし、大きさは異なる。
【０１４７】
実施例２
ニュートラルな香りの液体洗濯洗剤組成物の単位用量、ニュートラルな香りの液体布地コンディショニング組成物の単位用量、および液体香料組成物の単位用量を、単一キット内に提供する。組成物類は全てビーズ類の形状である。組成物は全て個別の容器内に包装されており、これら容器は、厚紙箱の内部で互いに容易に適合して、布地ケアキットを形成する。それ故に、キットは、保管、積み重ね、陳列などをするのに便利かつ容易である。更に、容器は全て缶であって、類似の形、同じブランド名、およびほぼ同一の図形を有しており、これらは全て、キットの外側にも複写されている。
【表７】
2009506819.tif 000008
【表８】
2009506819.tif 000009
ドデシルベンゼンスルホン酸は、アイフラケム（Ifrachem）より市販されている。
Ｃ１２〜１４アルコール、７ｘエトキシル化は、サソール（Sasol）より市販されている。
Ｃ８〜Ｃ１０アミドプロピルジメチルアミンは、アクゾ・ノーベル・ケミカルズ社（Akzo Nobel Chemicals LTD）より市販されている。
クエン酸は、シトリック・ベルジュＮＶ（Citrique Belge NV）より市販されている。
Ｃ１２〜Ｃ１８アルキル脂肪酸は、アクゾ・ノーベル・ケムＧＭＢＨ（Akzo Nobel Chem. GMBH）より市販されている。
ヒドロキシエタンジホスホン酸は、ソルチア・ヨーロッパＮＶ（Solutia Europe NV）より市販されている。
ジエチレントリアミンペンタメチレンホスホン酸（phosponic acid）は、オールブライト・アンド・ウィルソン社（Albright & Wilson LTD）より市販されている。
酵素類は、ジェネンコア（Genencor）及びノボザイムズ（Novozymes）よりそれぞれ市販されているタンパク質分解性（proteolitic）及びデンプン分解性酵素溶液である。
塩化マグネシウムは、ネドマグ（Nedmag）より市販されている。
亜硫酸カリウムは、ＢＡＳＦより市販されている。
ポリエチレンイミンエトキシレートＰＥＩ６００  Ｅ２０は、ＢＡＳＦより市販されている。
双性イオン性ポリアミンは、ＢＡＳＦより市販されているルーテンシット（Lutensit）Ｚ９６（登録商標）である。
蛍光増白剤は、チバＡＧ（Ciba AG）より市販されている４，４’−ビス−（２−スルホスチリル）ビフェニル二ナトリウムである。
硬化ヒマシ油は、ブラジル・オレオ・デ・マモーナ（Brazil Oleo De Mamona）より市販されている。
プロピレングリコールは、ＢＡＳＦより市販されている。
グリセリンは、ＮＡＴオレオ（NAT OLEO）より市販されている。
ポリジメチルシロキサンは、ダウ・コーニング（Dow Corning）より市販されている。
モノエタノールアミンは、サソール（Sasol）より市販されている。
【０１４８】
本発明における布地増強剤の例：
【表９】
2009506819.tif 000010
１．  そのアシル基が部分硬化キャノーラ脂肪酸に由来する、ジ（アクリルオキシエチル）（２−ヒドロキシエチル）メチルアンモニウムメチルスルフェート。活性物質は、ヘキシレングリコール約７．５％、およびエタノール約９５％と水約５％であるエタノール溶媒７．５％を含有する。
【０１４９】
香料添加物の例：
【表１０】
2009506819.tif 000011
【０１５０】
液体組成物類は、真空形成された横型製袋充填プロセスを用いてフィルムパウチ内に包装され、各パウチには液体約５０ｍＬを入れた。前記フィルムは、ポリビニルアルコール／カルボキシレートコポリマー樹脂（Ｍ８６３０（登録商標）、米国インディアナ（Indiana）のモノ−ソル（Mono-Sol）製）から作製した。ニュートラルな香りの液体洗濯洗剤組成物が入ったビーズを開封し、中に入っている組成物を洗濯機の分配用引出しの一区画に注入する。次に、香料ビーズを前記ニュートラルな香りの液体洗濯洗剤組成物の入った分配用引出しの前記区画に加える。ニュートラルな香りの液体布地コンディショニング組成物が入ったビーズ１つを、分配用引出しの別の区画に入れる。パウチに入った組成物それぞれの溶解および離解特性は良好である。
【０１５１】
一連の使用説明書は、キットの側面に提供されており、これは、洗濯洗剤組成物と布地コンディショニング組成物をそれぞれ言及している。
【０１５２】
このような布地ケア方法は、消費者が理解および概念化するのが容易であり、消費者は、互いに適合し得ることが保証されている間に所望の構成成分を容易に選択することができ、そして所望の結果を得る。
【０１５３】
実施例３
ニュートラルな香りのベース洗濯洗剤組成物、ニュートラルな香りのベース布地コンディショニング組成物、および香料組成物を、布地ケアキットとして提供する。
【０１５４】
ニュートラルな香りのベース洗濯洗剤組成物の容器とニュートラルな香りのベース布地コンディショニング組成物の容器は、同じプラスチック材料から作製された類似した構造と、類似した図形と、類似した形を有している。ただし、対応する容器類の大きさは異なる。香料組成物類は、容器であり缶である。香料は、香料を洗浄液に迅速に溶解する洗濯機のディスペンサーに入れる袋に添加される。
【表１１】
2009506819.tif 000012
【表１２】
2009506819.tif 000013
【０１５５】
ニュートラルな香りの洗濯洗剤およびニュートラルな香りの柔軟仕上げ剤は実施例１に記載した通りである。匂い袋は、本発明の香料に１０％噴霧した直径約０．５ｍｍの粒状の軽量炭酸ナトリウム１０グラムを入れた、市販のティーバッグである。
【０１５６】
実施例４
本発明によるキットは、ニュートラルな香りのベース液体洗濯洗剤組成物、透明なニュートラルな香りのベース液体布地コンディショニング組成物、および液体香料組成物を包含する。これらは布地物品に使用するために、３つの別個の容器で提供される。
【０１５７】
ニュートラルな香りのベース液体洗濯洗剤組成物と透明なニュートラルな香りのベース液体布地コンディショニング組成物用の容器は、透明なＰＥＴボトルから作製したボトルである。液体香料組成物は、一連の香りディスクとして提供される。ボトルには、ボトルと一体成形された投与室が具備されている。次に、香りディスクををこの投与室に接続する。
【０１５８】
洗剤、液体柔軟仕上げ剤、および香料組成物は実施例１のものと同じである。
【表１３】
2009506819.tif 000014
【０１５９】
全ての実施例において、香料組成物を、ニュートラルな香りの洗剤ベース処方および／またはニュートラルな香りの布地コンディショナーベース処方へ添加することができる。このような添加は、更に、自動洗濯機のディスペンサー内で便宜的に（すなわち、洗濯サイクルの開始前に）行うこともでき、ある量の液状のニュートラルな香りのベース布地コンディショニング組成物を先ず洗濯機のディスペンサーに注入し、そして特定用量の香料組成物を、ディスペンサーに入れた前記柔軟仕上げ組成物に添加して、そこで分散させる。様々な香料添加物類を混合およびブレンドして、主要な洗浄またはすすぎのいずれかにおいて香りを個人の希望に合わせて変更することも可能である。同様に、様々な香料添加物を洗剤および柔軟仕上げ剤と共に使用することも可能である。
【０１６０】
その後、すすぎサイクル中に、得られた混合物を布地と接触させて、香料を布地上に放出する。
【０１６１】
洗剤、布地増強剤、および香料添加剤処方は実施例１に記載した通りである。
【国際調査報告】
2009506819.tif 000015
2009506819.tif 000016